(57)【要約】  緊急サービス情報のプロビジョニングのためのシステム、方法、装置、および媒体が提供される。実施形態は、モバイルデバイスによって、緊急サービス情報マッピングテーブルを受信するステップであって、緊急サービス情報マッピングテーブルが、複数のエントリを含み、複数のエントリのうちの各エントリが、モバイル国コード値と、緊急サービス電話番号値と、緊急サービスタイプ値とを含む、ステップを含む。実施形態は、モバイルデバイスによって、モバイルデバイスのユーザからの入力に応答して、緊急サービス情報マッピングテーブルから情報を取り出すステップを含む。
2018500783.tif 000002
【特許請求の範囲】
【請求項１】
緊急サービス情報のプロビジョニングのための方法であって、
モバイルデバイスによって、緊急サービス情報マッピングテーブルを受信するステップであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、ステップと、
前記モバイルデバイスによって、前記モバイルデバイスのユーザからの入力に応答して、前記緊急サービス情報マッピングテーブルから情報を取り出すステップと
を含む方法。
【請求項２】
前記緊急サービス情報マッピングテーブルが、エンドユーザへの前記モバイルデバイスの販売前に、前記モバイルデバイス上に提供される、請求項1に記載の方法。
【請求項３】
通信ネットワーク上で前記モバイルデバイスによって緊急サービス情報マッピングテーブル更新を受信するステップ
をさらに含む、請求項2に記載の方法。
【請求項４】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項1に記載の方法。
【請求項５】
前記モバイルデバイスが現在位置している地理的エリアに関連付けられた現在のモバイル国コード値に対応するモバイル国コード値を有する1つまたは複数の第1のエントリについて前記緊急サービス情報マッピングテーブルの前記複数のエントリを検索するステップであって、前記1つまたは複数の第1のエントリの各々が、モバイル国コード値と、緊急サービス電話番号値と、緊急サービスタイプ値とを含む、ステップと、
前記第1のエントリのうちの少なくとも1つを選択するステップと、
前記選択されたエントリに含まれる前記緊急サービス電話番号値に対応する電話番号に電話をかけるステップと
をさらに含む、請求項1に記載の方法。
【請求項６】
少なくとも1つの第1のエントリを選択するステップが、前記ユーザによってダイヤルされた電話番号および前記モバイルデバイスに関連付けられたホーム地理的エリアに関連付けられた緊急サービスタイプ値に対応する緊急サービスタイプ値を有する第1のエントリについて前記1つまたは複数の第1のエントリを検索するステップと、前記ユーザによってダイヤルされた前記電話番号および前記モバイルデバイスに関連付けられた前記ホーム地理的エリアに関連付けられた前記緊急サービスタイプ値に対応する前記緊急サービスタイプ値を有する前記第1のエントリを選択するステップとを含む、請求項5に記載の方法。
【請求項７】
前記モバイルデバイス上に記憶されたホームモバイル国コード値に対応するモバイル国コード値を有する前記複数のエントリのうちの1つまたは複数のエントリについて前記緊急サービス情報マッピングテーブル中の前記複数のエントリを検索し、それらのエントリを選択するステップと、
前記1つまたは複数の選択されたエントリ中の前記緊急サービスタイプ値を、前記ユーザによってダイヤルされた前記電話番号および前記モバイルデバイスに関連付けられた前記ホーム地理的エリアに関連付けられた前記緊急サービスタイプ値として取り出すステップと
をさらに含む、請求項6に記載の方法。
【請求項８】
緊急サービス情報のプロビジョニングのための装置であって、
緊急サービス情報マッピングテーブルを含む電子ストレージを有するモバイルデバイスであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、モバイルデバイス
を備え、
前記モバイルデバイスが、前記モバイルデバイスのユーザからの入力に応答して、前記緊急サービス情報マッピングテーブルから情報を取り出すように構成される、
装置。
【請求項９】
前記緊急サービス情報マッピングテーブルが、エンドユーザへの前記モバイルデバイスの販売前に、前記モバイルデバイスの前記電子ストレージに記憶される、
請求項8に記載の装置。
【請求項１０】
前記モバイルデバイスが、通信ネットワーク上で緊急サービス情報マッピングテーブル更新を受信するように構成される、
請求項9に記載の装置。
【請求項１１】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項8に記載の装置。
【請求項１２】
前記モバイルデバイスが、通信ネットワークから現在のモバイル国コード値を受信するように構成され、前記現在のモバイル国コード値が、前記モバイルデバイスが現在位置している地理的エリアに対応し、
前記モバイルデバイスが、前記モバイルデバイスの前記ユーザによって入力された電話番号を受信するように構成され、
前記モバイルデバイスが、前記現在のモバイル国コード値が前記モバイルデバイス上に記憶されたホームモバイル国コード値とは異なると判断するように構成され、
前記モバイルデバイスが、前記複数のエントリのうちの1つまたは複数の第1のエントリについて前記緊急サービス情報マッピングテーブルを検索するように構成され、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、
請求項8に記載の装置。
【請求項１３】
前記モバイルデバイスが、前記第1のエントリのうちの少なくとも1つに含まれる前記緊急サービス電話番号値が前記ユーザによって入力された前記電話番号であると判断するように構成され、
前記モバイルデバイスが、前記複数のエントリのうちの1つまたは複数の第2のエントリについて前記緊急サービス情報マッピングテーブルを検索するように構成され、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、
請求項12に記載の装置。
【請求項１４】
前記モバイルデバイスが、前記1つまたは複数の第2のエントリから第3のエントリを選択するように構成され、
前記モバイルデバイスが、前記第3のエントリに含まれる前記緊急サービス電話番号値に電話をかけるように構成される、
請求項13に記載の装置。
【請求項１５】
前記モバイルデバイスが、前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択するように構成される、請求項14に記載の装置。
【請求項１６】
前記モバイルデバイスが、前記1つまたは複数の第2のエントリのいずれも前記第1のエントリのうちの前記少なくとも1つに含まれる前記緊急サービスタイプ値と同じである緊急サービスタイプ値を含まないと判断するように構成され、
前記モバイルデバイスが、汎用サービスタイプ値である緊急サービスタイプ値を含む前記第3のエントリを選択することを含む方法で、前記1つまたは複数の第2のエントリから前記第3のエントリを選択するように構成される、
請求項14に記載の装置。
【請求項１７】
前記モバイルデバイスが、要求されたサービスタイプ情報を前記第3のエントリに含まれる前記緊急サービス電話番号値への電話のための呼セットアップ情報において提供することを含む方法で、前記第3のエントリに含まれる前記緊急サービス電話番号値に前記電話をかけるように構成され、
前記要求されたサービスタイプ情報が、前記第1のエントリのうちの前記少なくとも1つに含まれる前記緊急サービスタイプ値に対応する、
請求項16に記載の装置。
【請求項１８】
緊急サービス情報のプロビジョニングのための装置であって、
モバイルデバイスによって、緊急サービス情報マッピングテーブルを受信するための手段であって、前記緊急サービス情報マッピングテーブルが、複数のエントリを含み、前記複数のエントリのうちの各エントリが、モバイル国コード値と、緊急サービス電話番号値と、緊急サービスタイプ値とを含む、手段と、
前記モバイルデバイスによって、前記モバイルデバイスのユーザからの入力に応答して、前記緊急サービス情報マッピングテーブルから情報を取り出すための手段と
を備える装置。
【請求項１９】
前記緊急サービス情報マッピングテーブルが、エンドユーザへの前記モバイルデバイスの販売前に、前記モバイルデバイスの前記電子ストレージに記憶される、
請求項18に記載の装置。
【請求項２０】
通信ネットワーク上で緊急サービス情報マッピングテーブル更新を受信するための手段
をさらに備える、請求項19に記載の装置。
【請求項２１】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項18に記載の装置。
【請求項２２】
前記モバイルデバイスによって、通信ネットワークから現在のモバイル国コード値を受信するための手段であって、前記現在のモバイル国コード値が、前記モバイルデバイスが現在位置している地理的エリアに対応する、手段と、
前記モバイルデバイスによって、前記モバイルデバイスの前記ユーザによって入力された電話番号を受信するための手段と、
前記現在のモバイル国コード値が前記モバイルデバイス上に記憶されたホームモバイル国コード値とは異なると判断するための手段と、
前記モバイルデバイスによって、前記複数のエントリのうちの1つまたは複数の第1のエントリについて前記緊急サービス情報マッピングテーブルを検索するための手段であって、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、手段と
をさらに備える、請求項18に記載の装置。
【請求項２３】
前記第1のエントリのうちの少なくとも1つに含まれる前記緊急サービス電話番号値が前記ユーザによって入力された前記電話番号であると判断するための手段と、
前記モバイルデバイスによって、前記複数のエントリのうちの1つまたは複数の第2のエントリについて前記緊急サービス情報マッピングテーブルを検索するための手段であって、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、手段と
をさらに備える、請求項22に記載の装置。
【請求項２４】
前記モバイルデバイスによって、前記1つまたは複数の第2のエントリから第3のエントリを選択するための手段と、
前記モバイルデバイスによって、前記第3のエントリに含まれる前記緊急サービス電話番号値に電話をかけるための手段と
をさらに備える、請求項23に記載の装置。
【請求項２５】
前記モバイルデバイスによって、前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択するための手段
をさらに備える、請求項24に記載の装置。
【請求項２６】
前記1つまたは複数の第2のエントリのいずれも前記第1のエントリのうちの前記少なくとも1つに含まれる前記緊急サービスタイプ値と同じである緊急サービスタイプ値を含まないと判断するための手段
をさらに備え、
前記モバイルデバイスが、汎用サービスタイプ値である緊急サービスタイプ値を含む前記第3のエントリを選択することを含む方法で、前記1つまたは複数の第2のエントリから前記第3のエントリを選択するように構成される、
請求項24に記載の装置。
【請求項２７】
要求されたサービスタイプ情報を前記第3のエントリに含まれる前記緊急サービス電話番号値への電話のための呼セットアップ情報において提供することを含む方法で、前記第3のエントリに含まれる前記緊急サービス電話番号値に前記電話をかけるための手段
をさらに備え、
前記要求されたサービスタイプ情報が、前記第1のエントリのうちの前記少なくとも1つに含まれる前記緊急サービスタイプ値に対応する、
請求項26に記載の装置。
【請求項２８】
緊急サービス情報のプロビジョニングのための装置であって、
メモリと、
前記メモリに結合され、
モバイルデバイスによって、緊急サービス情報マッピングテーブルを受信することであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、受信することと、
前記モバイルデバイスによって、前記モバイルデバイスのユーザからの入力に応答して、前記緊急サービス情報マッピングテーブルから情報を取り出すことと
を行うように構成された少なくとも1つのプロセッサと
を備える装置。
【請求項２９】
前記緊急サービス情報マッピングテーブルが、エンドユーザへの前記モバイルデバイスの販売前に、前記モバイルデバイスの前記電子ストレージに記憶される、
請求項28に記載の装置。
【請求項３０】
前記少なくとも1つのプロセッサが、
通信ネットワーク上で緊急サービス情報マッピングテーブル更新を受信する
ようにさらに構成される、請求項29に記載の装置。
【請求項３１】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項28に記載の装置。
【請求項３２】
前記少なくとも1つのプロセッサが、
前記モバイルデバイスによって、通信ネットワークから現在のモバイル国コード値を受信することであって、前記現在のモバイル国コード値が、前記モバイルデバイスが現在位置している地理的エリアに対応する、受信することと、
前記モバイルデバイスによって、前記モバイルデバイスの前記ユーザによって入力された電話番号を受信することと、
前記現在のモバイル国コード値が前記モバイルデバイス上に記憶されたホームモバイル国コード値とは異なると判断することと、
前記モバイルデバイスによって、前記複数のエントリのうちの1つまたは複数の第1のエントリについて前記緊急サービス情報マッピングテーブルを検索することであって、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、検索することと
を行うようにさらに構成される、請求項28に記載の装置。
【請求項３３】
前記少なくとも1つのプロセッサが、
前記第1のエントリのうちの少なくとも1つに含まれる前記緊急サービス電話番号値が前記ユーザによって入力された前記電話番号であると判断することと、
前記モバイルデバイスによって、前記複数のエントリのうちの1つまたは複数の第2のエントリについて前記緊急サービス情報マッピングテーブルを検索することであって、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、検索することと
を行うようにさらに構成される、請求項32に記載の装置。
【請求項３４】
前記少なくとも1つのプロセッサが、
前記モバイルデバイスによって、前記1つまたは複数の第2のエントリから第3のエントリを選択し、
前記モバイルデバイスによって、前記第3のエントリに含まれる前記緊急サービス電話番号値に電話をかける
ようにさらに構成される、請求項33に記載の装置。
【請求項３５】
前記少なくとも1つのプロセッサが、
前記モバイルデバイスによって、前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択する
ようにさらに構成される、請求項34に記載の装置。
【請求項３６】
前記少なくとも1つのプロセッサが、
前記1つまたは複数の第2のエントリのいずれも前記第1のエントリのうちの前記少なくとも1つに含まれる前記緊急サービスタイプ値と同じである緊急サービスタイプ値を含まないと判断する
ようにさらに構成され、
前記モバイルデバイスが、汎用サービスタイプ値である緊急サービスタイプ値を含む前記第3のエントリを選択することを含む方法で、前記1つまたは複数の第2のエントリから前記第3のエントリを選択するように構成される、
請求項34に記載の装置。
【請求項３７】
前記少なくとも1つのプロセッサが、
要求されたサービスタイプ情報を前記第3のエントリに含まれる前記緊急サービス電話番号値への電話のための呼セットアップ情報において提供することを含む方法で、前記第3のエントリに含まれる前記緊急サービス電話番号値に前記電話をかける
ようにさらに構成され、
前記要求されたサービスタイプ情報が、前記第1のエントリのうちの前記少なくとも1つに含まれる前記緊急サービスタイプ値に対応する、
請求項36に記載の装置。
【請求項３８】
ワイヤレス通信のためのコンピュータ実行可能コードを記憶する、緊急サービス情報のプロビジョニングのためのコンピュータ可読媒体であって、
モバイルデバイスによって、緊急サービス情報マッピングテーブルを受信することであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、受信することと、
前記モバイルデバイスによって、前記モバイルデバイスのユーザからの入力に応答して、前記緊急サービス情報マッピングテーブルから情報を取り出すことと
を行うためのコードを含むコンピュータ可読媒体。
【請求項３９】
通信ネットワークから現在のモバイル国コード値を受信することであって、前記現在のモバイル国コード値が、前記モバイルデバイスが現在位置している地理的エリアに対応する、受信することと、
前記モバイルデバイスの前記ユーザによって入力された電話番号を受信することと、
前記現在のモバイル国コード値が前記モバイルデバイス上に記憶されたホームモバイル国コード値とは異なると判断することと、
前記複数のエントリのうちの1つまたは複数の第1のエントリについて前記緊急サービス情報マッピングテーブルを検索することであって、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、検索することと
を行うためのコードをさらに含む、請求項38に記載のコンピュータ可読媒体。
【請求項４０】
前記第1のエントリのうちの少なくとも1つに含まれる前記緊急サービス電話番号値が前記ユーザによって入力された前記電話番号であると判断することと、
前記複数のエントリのうちの1つまたは複数の第2のエントリについて前記緊急サービス情報マッピングテーブルを検索することであって、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、検索することと
を行うためのコードをさらに含む、請求項39に記載のコンピュータ可読媒体。
【請求項４１】
前記1つまたは複数の第2のエントリから第3のエントリを選択し、
前記第3のエントリに含まれる前記緊急サービス電話番号値に電話をかける
ためのコードをさらに含む、請求項40に記載のコンピュータ可読媒体。
【請求項４２】
前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択する
ためのコードをさらに含む、請求項41に記載のコンピュータ可読媒体。
【発明の詳細な説明】
【技術分野】
【０００１】
関連出願の相互参照
本出願は、その全体が参照により本明細書に明確に組み込まれる、「PROVISIONING EMERGENCY SERVICES INFORMATION USING MAPPINGS AND EMERGENCY SERVICES TYPES」と題する2014年10月24日に出願された米国仮出願第62/068,591号、および「PROVISIONING EMERGENCY SERVICES INFORMATION USING MAPPINGS AND EMERGENCY SERVICES TYPES」と題する2015年1月13日に出願された米国特許出願第14/596,192号の利益を主張する。
【０００２】
本開示は一般に通信システムおよびプロセスに関し、より詳細には、モバイルデバイス上で緊急サービス情報を提供することに関する。
【背景技術】
【０００３】
標準的なモバイルデバイスを用いて、ユーザは緊急サービスプロバイダに電話をかけることができる。ユーザは、ユーザが定期的に居住する地理的エリア内の緊急サービスに関連付けられた1つまたは複数の電話番号をよく知っている場合がある。緊急の場合、ユーザは、メモリから、これらの緊急サービス電話番号のうちの1つをダイヤルすることができる。加えて、モバイルデバイスは、1つまたは複数の緊急サービス電話番号をデバイスの記憶媒体上に恒久的に記憶している場合がある。これらの恒久的に記憶された緊急サービス電話番号は、モバイルデバイスが関連付けられる特定の地理的エリアに関連付けられ得る。緊急の場合、ユーザは、デバイス上に記憶された緊急サービス電話番号のうちの1つをモバイルデバイスにダイヤルさせるために、デバイス上に設けられた緊急サービスダイヤルボタンを押下することができる。
【０００４】
しかしながら、ユーザがモバイルデバイスを持って、ユーザが定期的に居住しておらず、モバイルデバイスが関連付けられていない地理的エリアに行くときに問題が生じる。これらの状況では、ユーザは、その地理的エリア内の緊急サービスの電話番号をよく知らない場合がある。加えて、モバイルデバイスは、その地理的エリアについて緊急サービス電話番号をデバイス上に記憶していない場合がある。したがって、緊急の場合、ユーザは、適切な緊急サービスに連絡するために、緊急サービス電話番号を迅速にダイヤルすることができない場合がある。
【発明の概要】
【課題を解決するための手段】
【０００５】
様々な実施形態は、モバイルデバイス上で緊急サービス情報を提供するためのシステム、方法、装置、および媒体に関する。
【０００６】
本開示の実施形態によれば、緊急サービス情報のプロビジョニングのための方法が提供される。方法は、モバイルデバイスによって、モバイルデバイス上に記憶するための緊急サービス情報マッピングテーブルを受信するステップであって、緊急サービス情報マッピングテーブルが、複数のエントリを含み、複数のエントリのうちの各エントリが、モバイル国コード値と、緊急サービス電話番号値と、緊急サービスタイプ値とを含む、ステップを含む。方法は、モバイルデバイスによって、モバイルデバイスのユーザからの入力に応答して、緊急サービス情報マッピングテーブルから情報を取り出すステップをさらに含む。
【０００７】
いくつかの実施形態では、方法は、エンドユーザへのモバイルデバイスの販売前に、モバイルデバイス上で緊急サービス情報マッピングテーブルを提供するステップを含む。
【０００８】
いくつかの実施形態では、方法は、通信ネットワーク上でモバイルデバイスによって緊急サービス情報マッピングテーブル更新を受信するステップをさらに含む。
【０００９】
いくつかの実施形態では、緊急サービス情報マッピングテーブルが、複数のエントリのうちの第1のエントリと、複数のエントリのうちの第2のエントリとを含むような方法が提供される。複数のエントリのうちの第1のエントリは、モバイルデバイスのユーザによって入力された電話番号に対応し、第1のエントリは、モバイル国コード値と、ユーザによって入力された電話番号である緊急サービス電話番号値と、緊急サービスタイプ値とを含む。複数のエントリのうちの第2のエントリは、かけられるべき電話番号に対応し、第2のエントリは、モバイル国コード値と、かけられるべき電話番号である緊急サービス電話番号値と、緊急サービスタイプ値とを含む。
【００１０】
いくつかの実施形態では、方法は、通信ネットワークから現在のモバイル国コード値を受信するステップであって、現在のモバイル国コード値が、モバイルデバイスが現在位置している地理的エリアに対応する、ステップをさらに含む。方法は、モバイルデバイスのユーザによって入力された電話番号を受信するステップをさらに含み得る。方法は、現在のモバイル国コード値がモバイルデバイス上に記憶されたホームモバイル国コード値とは異なると判断するステップをさらに含み得る。方法は、複数のエントリのうちの1つまたは複数の第1のエントリについて緊急サービス情報マッピングテーブルを検索するステップをさらに含み得る。1つまたは複数の第1のエントリの各々は、モバイル国コード値と、緊急サービス電話番号値と、緊急サービスタイプ値とを含み得る。第1のエントリの各々に含まれるモバイル国コード値は、ホームモバイル国コード値と同じであり得る。
【００１１】
いくつかの実施形態では、方法は、第1のエントリのうちの少なくとも1つに含まれる緊急サービス電話番号値がユーザによって入力された電話番号であると判断するステップをさらに含む。方法は、複数のエントリのうちの1つまたは複数の第2のエントリについて緊急サービス情報マッピングテーブルを検索するステップをさらに含み得る。1つまたは複数の第2のエントリの各々は、モバイル国コード値と、緊急サービス電話番号値と、緊急サービスタイプ値とを含み得る。第2のエントリの各々に含まれるモバイル国コード値は、現在のモバイル国コード値と同じであり得る。
【００１２】
いくつかの実施形態では、方法は、1つまたは複数の第2のエントリから第3のエントリを選択するステップと、第3のエントリに含まれる緊急サービス電話番号値に電話をかけるステップとをさらに含む。
【００１３】
いくつかの実施形態では、方法は、第1のエントリのうちの少なくとも1つに含まれる緊急サービスタイプ値と同じである緊急サービスタイプ値を含む第3のエントリを選択するステップをさらに含む。
【００１４】
いくつかの実施形態では、方法は、1つまたは複数の第2のエントリのいずれも第1のエントリのうちの少なくとも1つに含まれる緊急サービスタイプ値と同じである緊急サービスタイプ値を含まないと判断するステップをさらに含む。方法は、汎用サービスタイプ値である緊急サービスタイプ値を含む第3のエントリを選択するステップをさらに含み得る。
【００１５】
いくつかの実施形態では、第3のエントリに含まれる緊急サービス電話番号値に電話をかけるステップが、要求されたサービスタイプ情報を第3のエントリに含まれる緊急サービス電話番号値への電話のための呼セットアップ情報において提供するステップを含むような方法が提供される。要求されたサービスタイプ情報は、第1のエントリのうちの少なくとも1つに含まれる緊急サービスタイプ値に対応し得る。
【００１６】
本開示の実施形態によれば、緊急サービス情報のプロビジョニングのための装置が提供される。装置は、緊急サービス情報マッピングテーブルを含む電子ストレージを有するモバイルデバイスであって、緊急サービス情報マッピングテーブルが、複数のエントリを含み、複数のエントリのうちの各エントリが、モバイル国コード値と、緊急サービス電話番号値と、緊急サービスタイプ値とを含む、モバイルデバイスを含む。そのような実施形態では、モバイルデバイスは、モバイルデバイスのユーザからの入力に応答して、緊急サービス情報マッピングテーブルから情報を取り出すように構成される。
【００１７】
いくつかの実施形態では、エンドユーザへのモバイルデバイスの販売前に、緊急サービス情報マッピングテーブルがモバイルデバイス上に記憶されるような装置が提供される。
【００１８】
いくつかの実施形態では、モバイルデバイスが、通信ネットワーク上で緊急サービス情報マッピングテーブル更新を受信するように構成されるような装置が提供される。
【００１９】
いくつかの実施形態では、緊急サービス情報マッピングテーブルが、複数のエントリのうちの第1のエントリと、複数のエントリのうちの第2のエントリとを含むような装置が提供される。複数のエントリのうちの第1のエントリは、モバイルデバイスのユーザによって入力された電話番号に対応し得、第1のエントリは、モバイル国コード値と、ユーザによって入力された電話番号である緊急サービス電話番号値と、緊急サービスタイプ値とを含む。複数のエントリのうちの第2のエントリは、かけられるべき電話番号に対応し得、第2のエントリは、モバイル国コード値と、かけられるべき電話番号である緊急サービス電話番号値と、緊急サービスタイプ値とを含む。
【００２０】
いくつかの実施形態では、モバイルデバイスが、通信ネットワークから現在のモバイル国コード値を受信するように構成され、現在のモバイル国コード値が、モバイルデバイスが現在位置している地理的エリアに対応するような装置が提供される。モバイルデバイスは、モバイルデバイスのユーザによって入力された電話番号を受信するようにさらに構成され得る。モバイルデバイスは、現在のモバイル国コード値がモバイルデバイス上に記憶されたホームモバイル国コード値とは異なると判断するようにさらに構成され得る。モバイルデバイスは、複数のエントリのうちの1つまたは複数の第1のエントリについて緊急サービス情報マッピングテーブルを検索するようにさらに構成され得る。1つまたは複数の第1のエントリの各々は、モバイル国コード値と、緊急サービス電話番号値と、緊急サービスタイプ値とを含み得る。第1のエントリの各々に含まれるモバイル国コード値は、ホームモバイル国コード値と同じであり得る。
【００２１】
いくつかの実施形態では、モバイルデバイスが、第1のエントリのうちの少なくとも1つに含まれる緊急サービス電話番号値がユーザによって入力された電話番号であると判断するように構成されるような装置が提供される。モバイルデバイスは、複数のエントリのうちの1つまたは複数の第2のエントリについて緊急サービス情報マッピングテーブルを検索するようにさらに構成され得る。1つまたは複数の第2のエントリの各々は、モバイル国コード値と、緊急サービス電話番号値と、緊急サービスタイプ値とを含み得る。第2のエントリの各々に含まれるモバイル国コード値は、現在のモバイル国コード値と同じであり得る。
【００２２】
いくつかの実施形態では、モバイルデバイスが、1つまたは複数の第2のエントリから第3のエントリを選択するように構成されるような装置が提供される。モバイルデバイスは、第3のエントリに含まれる緊急サービス電話番号値に電話をかけるようにさらに構成され得る。
【００２３】
いくつかの実施形態では、モバイルデバイスが、第1のエントリのうちの少なくとも1つに含まれる緊急サービスタイプ値と同じである緊急サービスタイプ値を含む第3のエントリを選択することによって、1つまたは複数の第2のエントリから第3のエントリを選択するように構成されるような装置が提供される。
【００２４】
いくつかの実施形態では、モバイルデバイスが、1つまたは複数の第2のエントリのいずれも第1のエントリのうちの少なくとも1つに含まれる緊急サービスタイプ値と同じである緊急サービスタイプ値を含まないと判断するように構成されるような装置が提供される。モバイルデバイスは、汎用サービスタイプ値である緊急サービスタイプ値を含む第3のエントリを選択することを含む方法で、1つまたは複数の第2のエントリから第3のエントリを選択するようにさらに構成され得る。
【００２５】
いくつかの実施形態では、モバイルデバイスが、要求されたサービスタイプ情報を第3のエントリに含まれる緊急サービス電話番号値への電話のための呼セットアップ情報において提供することを含む方法で、第3のエントリに含まれる緊急サービス電話番号値に電話をかけるように構成されるような装置が提供される。要求されたサービスタイプ情報は、第1のエントリのうちの少なくとも1つに含まれる緊急サービスタイプ値に対応し得る。
【００２６】
本開示の実施形態によれば、緊急サービス情報のプロビジョニングのための装置が提供される。装置は、モバイルデバイスによって、モバイルデバイス上に記憶するための緊急サービス情報マッピングテーブルを受信するための手段であって、緊急サービス情報マッピングテーブルが、複数のエントリを含み、複数のエントリのうちの各エントリが、モバイル国コード値と、緊急サービス電話番号値と、緊急サービスタイプ値とを含む、手段を含む。装置は、モバイルデバイスによって、モバイルデバイスのユーザからの入力に応答して、緊急サービス情報マッピングテーブルから情報を取り出すための手段をさらに含む。
【００２７】
いくつかの実施形態では、装置は、モバイルデバイスによって、通信ネットワークから現在のモバイル国コード値を受信するための手段であって、現在のモバイル国コード値が、モバイルデバイスが現在位置している地理的エリアに対応する、手段をさらに含む。装置は、モバイルデバイスによって、モバイルデバイスのユーザによって入力された電話番号を受信するための手段をさらに含み得る。装置は、現在のモバイル国コード値がモバイルデバイス上に記憶されたホームモバイル国コード値とは異なると判断するための手段をさらに含み得る。装置は、モバイルデバイスによって、複数のエントリのうちの1つまたは複数の第1のエントリについて緊急サービス情報マッピングテーブルを検索するための手段をさらに含み得る。1つまたは複数の第1のエントリの各々は、モバイル国コード値と、緊急サービス電話番号値と、緊急サービスタイプ値とを含み得る。第1のエントリの各々に含まれるモバイル国コード値は、ホームモバイル国コード値と同じである。
【００２８】
いくつかの実施形態では、装置は、第1のエントリのうちの少なくとも1つに含まれる緊急サービス電話番号値がユーザによって入力された電話番号であると判断するための手段をさらに含む。装置は、モバイルデバイスによって、複数のエントリのうちの1つまたは複数の第2のエントリについて緊急サービス情報マッピングテーブルを検索するための手段をさらに含み得る。1つまたは複数の第2のエントリの各々は、モバイル国コード値と、緊急サービス電話番号値と、緊急サービスタイプ値とを含み得る。第2のエントリの各々に含まれるモバイル国コード値は、現在のモバイル国コード値と同じであり得る。
【００２９】
いくつかの実施形態では、装置は、モバイルデバイスによって、1つまたは複数の第2のエントリから第3のエントリを選択するための手段をさらに含み得る。装置は、モバイルデバイスによって、第3のエントリに含まれる緊急サービス電話番号値に電話をかけるための手段をさらに含み得る。
【００３０】
いくつかの実施形態では、装置は、モバイルデバイスによって、第1のエントリのうちの少なくとも1つに含まれる緊急サービスタイプ値と同じである緊急サービスタイプ値を含む第3のエントリを選択することを含む方法で、1つまたは複数の第2のエントリから第3のエントリを選択するための手段をさらに含み得る。
【００３１】
本開示の実施形態によれば、緊急サービス情報のプロビジョニングのための装置が提供される。装置は、メモリを含む。装置は、メモリに結合され、モバイルデバイスによって、緊急サービス情報マッピングテーブルを受信することであって、緊急サービス情報マッピングテーブルが、複数のエントリを含み、複数のエントリのうちの各エントリが、モバイル国コード値と、緊急サービス電話番号値と、緊急サービスタイプ値とを含む、受信することと、モバイルデバイスによって、モバイルデバイスのユーザからの入力に応答して、緊急サービス情報マッピングテーブルから情報を取り出すこととを行うように構成された少なくとも1つのプロセッサをさらに含む。
【００３２】
いくつかの実施形態では、エンドユーザへのモバイルデバイスの販売前に、緊急サービス情報マッピングテーブルがモバイルデバイスの電子ストレージに記憶されるような装置が提供される。
【００３３】
いくつかの実施形態では、少なくとも1つのプロセッサが、通信ネットワーク上で緊急サービス情報マッピングテーブル更新を受信するようにさらに構成されるような装置が提供される。
【００３４】
いくつかの実施形態では、緊急サービス情報マッピングテーブルが、複数のエントリのうちの第1のエントリと、複数のエントリのうちの第2のエントリとを含み、複数のエントリのうちの第1のエントリが、モバイルデバイスのユーザによって入力された電話番号に対応し、第1のエントリが、モバイル国コード値と、ユーザによって入力された電話番号である緊急サービス電話番号値と、緊急サービスタイプ値とを含み、複数のエントリのうちの第2のエントリが、かけられるべき電話番号に対応し、第2のエントリが、モバイル国コード値と、かけられるべき電話番号である緊急サービス電話番号値と、緊急サービスタイプ値とを含むような装置が提供される。
【００３５】
いくつかの実施形態では、少なくとも1つのプロセッサが、モバイルデバイスによって、通信ネットワークから現在のモバイル国コード値を受信することであって、現在のモバイル国コード値が、モバイルデバイスが現在位置している地理的エリアに対応する、受信することと、モバイルデバイスによって、モバイルデバイスのユーザによって入力された電話番号を受信することと、現在のモバイル国コード値がモバイルデバイス上に記憶されたホームモバイル国コード値とは異なると判断することと、モバイルデバイスによって、複数のエントリのうちの1つまたは複数の第1のエントリについて緊急サービス情報マッピングテーブルを検索することであって、1つまたは複数の第1のエントリの各々が、モバイル国コード値と、緊急サービス電話番号値と、緊急サービスタイプ値とを含み、第1のエントリの各々に含まれるモバイル国コード値が、ホームモバイル国コード値と同じである、検索することとを行うようにさらに構成されるような装置が提供される。
【００３６】
いくつかの実施形態では、少なくとも1つのプロセッサが、第1のエントリのうちの少なくとも1つに含まれる緊急サービス電話番号値がユーザによって入力された電話番号であると判断することと、モバイルデバイスによって、複数のエントリのうちの1つまたは複数の第2のエントリについて緊急サービス情報マッピングテーブルを検索することであって、1つまたは複数の第2のエントリの各々が、モバイル国コード値と、緊急サービス電話番号値と、緊急サービスタイプ値とを含み、第2のエントリの各々に含まれるモバイル国コード値が、現在のモバイル国コード値と同じである、検索することとを行うようにさらに構成されるような装置が提供される。
【００３７】
いくつかの実施形態では、少なくとも1つのプロセッサが、モバイルデバイスによって、1つまたは複数の第2のエントリから第3のエントリを選択し、モバイルデバイスによって、第3のエントリに含まれる緊急サービス電話番号値に電話をかけるようにさらに構成されるような装置が提供される。
【００３８】
いくつかの実施形態では、少なくとも1つのプロセッサが、モバイルデバイスによって、第1のエントリのうちの少なくとも1つに含まれる緊急サービスタイプ値と同じである緊急サービスタイプ値を含む第3のエントリを選択することを含む方法で、1つまたは複数の第2のエントリから第3のエントリを選択するようにさらに構成されるような装置が提供される。
【００３９】
いくつかの実施形態では、少なくとも1つのプロセッサが、1つまたは複数の第2のエントリのいずれも第1のエントリのうちの少なくとも1つに含まれる緊急サービスタイプ値と同じである緊急サービスタイプ値を含まないと判断するようにさらに構成され、モバイルデバイスが、汎用サービスタイプ値である緊急サービスタイプ値を含む第3のエントリを選択することを含む方法で、1つまたは複数の第2のエントリから第3のエントリを選択するように構成されるような装置が提供される。
【００４０】
いくつかの実施形態では、少なくとも1つのプロセッサが、要求されたサービスタイプ情報を第3のエントリに含まれる緊急サービス電話番号値への電話のための呼セットアップ情報において提供することを含む方法で、第3のエントリに含まれる緊急サービス電話番号値に電話をかけるようにさらに構成され、要求されたサービスタイプ情報が、第1のエントリのうちの少なくとも1つに含まれる緊急サービスタイプ値に対応するような装置が提供される。
【００４１】
本開示の実施形態によれば、ワイヤレス通信のためのコンピュータ実行可能コードを記憶する、緊急サービス情報のプロビジョニングのためのコンピュータ可読媒体が提供される。媒体は、モバイルデバイスによって、緊急サービス情報マッピングテーブルを受信するためのコードであって、緊急サービス情報マッピングテーブルが、複数のエントリを含み、複数のエントリのうちの各エントリが、モバイル国コード値と、緊急サービス電話番号値と、緊急サービスタイプ値とを含む、受信するためのコードを含む。媒体は、モバイルデバイスによって、モバイルデバイスのユーザからの入力に応答して、緊急サービス情報マッピングテーブルから情報を取り出すためのコードを含む。
【００４２】
いくつかの実施形態では、媒体は、通信ネットワークから現在のモバイル国コード値を受信するためのコードであって、現在のモバイル国コード値が、モバイルデバイスが現在位置している地理的エリアに対応する、受信するためのコードを含み得る。媒体は、モバイルデバイスのユーザによって入力された電話番号を受信するためのコードを含み得る。媒体は、現在のモバイル国コード値がモバイルデバイス上に記憶されたホームモバイル国コード値とは異なると判断するためのコードを含み得る。媒体は、複数のエントリのうちの1つまたは複数の第1のエントリについて緊急サービス情報マッピングテーブルを検索するためのコードを含み得る。1つまたは複数の第1のエントリの各々は、モバイル国コード値と、緊急サービス電話番号値と、緊急サービスタイプ値とを含み得る。第1のエントリの各々に含まれるモバイル国コード値は、ホームモバイル国コード値と同じであり得る。
【００４３】
いくつかの実施形態では、媒体は、モバイルデバイスのユーザによって入力された電話番号を受信するためのコードを含み得る。媒体は、第1のエントリのうちの少なくとも1つに含まれる緊急サービス電話番号値がユーザによって入力された電話番号であると判断するためのコードを含み得る。媒体は、複数のエントリのうちの1つまたは複数の第2のエントリについて緊急サービス情報マッピングテーブルを検索するためのコードを含み得る。1つまたは複数の第2のエントリの各々は、モバイル国コード値と、緊急サービス電話番号値と、緊急サービスタイプ値とを含み得る。第2のエントリの各々に含まれるモバイル国コード値は、現在のモバイル国コード値と同じであり得る。
【００４４】
いくつかの実施形態では、媒体は、通信ネットワークから現在のモバイル国コード値を受信するためのコードであって、現在のモバイル国コード値が、モバイルデバイスが現在位置している地理的エリアに対応する、受信するためのコードを含む。媒体は、複数のエントリのうちの1つまたは複数の第2のエントリについて緊急サービス情報マッピングテーブルを検索するためのコードであって、1つまたは複数の第2のエントリの各々が、モバイル国コード値と、緊急サービス電話番号値と、緊急サービスタイプ値とを含む、検索するためのコードを含み得る。第2のエントリの各々に含まれるモバイル国コード値は、現在のモバイル国コード値と同じであり得る。
【００４５】
いくつかの実施形態では、媒体は、1つまたは複数の第2のエントリから第3のエントリを選択し、第3のエントリに含まれる緊急サービス電話番号値に電話をかけるためのコードを含む。
【００４６】
いくつかの実施形態では、媒体は、第1のエントリのうちの少なくとも1つに含まれる緊急サービスタイプ値と同じである緊急サービスタイプ値を含む第3のエントリを選択することを含む方法で、1つまたは複数の第2のエントリから第3のエントリを選択するためのコードを含む。
【図面の簡単な説明】
【００４７】
【図１】本開示のいくつかの実施形態による通信システムの図である。
【図２】本開示のいくつかの実施形態による通信システムの図である。
【図３】本開示のいくつかの実施形態によるモバイルデバイスの要素を示すブロック図である。
【図４】本開示のいくつかの実施形態による、例示的な緊急サービス情報マッピングテーブルである。
【図５】本開示のいくつかの実施形態による、緊急サービス情報をプロビジョニングするためのプロセスのフローチャートである。
【図６】本開示のいくつかの実施形態による、緊急サービス情報をプロビジョニングするためのプロセスのフローチャートである。
【図７】本開示のいくつかの実施形態による、緊急サービス情報をプロビジョニングするためのプロセスのフローチャートである。
【図８】本開示のいくつかの実施形態による、緊急サービス情報をプロビジョニングするためのプロセスのフローチャートである。
【図９】本開示のいくつかの実施形態による、緊急サービスタイプのマッピングを示すブロック図である。
【図１０】様々な実施形態による、電話デバイスの機能ブロック図である。
【発明を実施するための形態】
【００４８】
添付の図面に関して以下に記載する詳細な説明は、様々な構成の説明として意図されており、本明細書で説明する概念が実践され得る唯一の構成を表すことは意図されていない。詳細な説明は、様々な概念の完全な理解を与えるための具体的な詳細を含む。しかしながら、これらの概念がこれらの具体的な詳細なしに実践され得ることは当業者に明らかであろう。場合によっては、そのような概念を曖昧にすることを避けるために、よく知られている構造および構成要素がブロック図の形態で示される。
【００４９】
次に、電気通信システムのいくつかの態様が、様々な装置および方法を参照しながら提示される。これらの装置および方法について、以下の詳細な説明において説明し、様々なブロック、モジュール、構成要素、回路、ステップ、プロセス、アルゴリズムなど(「要素」と総称される)によって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課された設計制約に依存する。
【００５０】
例として、要素、または要素の任意の部分、または要素の任意の組合せは、1つまたは複数のプロセッサを含む「処理電子機器」を用いて実装され得る。プロセッサの例は、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明する様々な機能を実行するように構成された他の適切なハードウェアを含む。処理システム内の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００５１】
したがって、1つまたは複数の例示的な実施形態では、説明した機能は、ハードウェア、ソフトウェア、ファームウェア、またはそれらの任意の組合せにおいて実装され得る。ソフトウェアにおいて実装される場合、機能は、1つまたは複数の命令またはコードとして、コンピュータ可読媒体上に記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る任意の他の媒体を含むことができる。本明細書で使用するディスク(disk)およびディスク(disc)は、コンパクトディスク(disc)(CD)、レーザーディスク（登録商標）(disc)、光ディスク(disc)、デジタル多用途ディスク(disc)(DVD)、およびフロッピーディスク(disk)を含み、ディスク(disk)は通常、データを磁気的に再生し、ディスク(disc)は、レーザーを用いてデータを光学的に再生する。上記の組合せも、コンピュータ可読媒体の範囲内に含まれるべきである。
【００５２】
本明細書で開示する技法を用いて、本開示の実施形態は、多数の態様において既存のセルラー電話技術よりも改善する。第1に、ユーザは、単にユーザがすでに知っている情報に基づいて、適切な緊急サービスを要求することが可能であり得る。従来のシステムでは、ユーザは、必要な電話番号情報がわかっていないとき、適切な緊急サービスを要求することがまったく可能ではないことがある。第2に、ユーザは、適切な緊急サービスをより迅速に要求することが可能であり得る。たとえば、強盗の場合、ユーザは、緊急サービス情報を判断する際の遅延または混乱なしに、ユーザがいる国の警察サービスに明確に連絡することが可能であり得る。これは、ユーザがこの緊急事態における支援を適時に受けるために重要であり得る時間を節約することができる。ユーザは、同様に、これらの実施形態を使用して、救急車、消防、または他の適切な緊急サービスをより適時にプロビジョニングすることが可能であり得る。
【００５３】
図1は、本開示のいくつかの実施形態による通信システムの図である。ユーザ100、モバイルデバイス110、通信ネットワーク120および122、コンピューティングデバイス130および132、ならびに地理的エリア140および142が示されている。
【００５４】
モバイルデバイス110は、本開示の様々な実施形態に従って様々な形態で提供され得る。モバイルデバイス110は、電話をかけることが可能な様々なモバイル電子デバイスのいずれかであり得る。したがって、モバイルデバイス110は、携帯電話、スマートフォン、セルラー電話、何らかの他の電話、タブレットコンピュータ、ラップトップコンピュータなどであり得る。
【００５５】
ユーザ100は、本開示の様々な実施形態では、モバイルデバイス110の任意の形態のユーザであり得る。したがって、ユーザ100は、モバイルデバイス110の所有者、規則的なユーザ、断続的なユーザなどであり得る。
【００５６】
通信ネットワーク120および122の各々は、限定はしないが、電話をかけるためにモバイルデバイス110が接続し得る電話ネットワークなど、任意の適切な電子通信ネットワークを含み得る。したがって、通信ネットワーク120および122は、セルラーネットワーク、CDMAネットワーク、GSM（登録商標）ネットワーク、3GPPネットワークなどであり得る。
【００５７】
コンピューティングデバイス130の各々は、本開示の様々な実施形態に従って様々な形態で提供され得る。各コンピューティングデバイス130および132は、通信ネットワーク120の一部として提供されるかまたは通信ネットワーク120に関連付けられた、かつモバイルデバイス110と通信することができる、任意の適切なデバイスであり得る。たとえば、コンピューティングデバイス130は、ゲートウェイコンピューティングデバイス、モバイル交換センター(「MSC」)、基地局コントローラ(「BSC」)、無線ネットワークコントローラ(「RNC」)、発展型ノードB(「eNodeB」)などであり得る。
【００５８】
地理的エリア140は、通信ネットワーク120が関連付けられる任意の地理的エリアであり得る。したがって、地理的エリア140は、特定の国、多数の国のセット、1つの国のサブセットなどであり得る。地理的エリア142は、同様に、通信ネットワーク122に関して定義され得る。
【００５９】
緊急サービス情報マッピングテーブル112は、モバイルデバイス110上に記憶され得る。緊急サービス情報マッピングテーブル112は、多数のエントリを含み得る。各エントリは、モバイル国コード、緊急サービス電話番号、および緊急サービスタイプに対して、別個のそれぞれの値を有し得る。緊急サービス電話番号値は、1つまたは複数の関連する緊急サービスに電話をかけるためにユーザによってダイヤルされ得るかまたはモバイルデバイス110によって直接使用され得る電話番号であり得る。緊急サービスタイプ値は、緊急サービス電話番号値に関連付けられた緊急サービスのタイプまたはカテゴリーであり得る。たとえば、緊急サービスタイプ値は、救急車、警察、消防、汎用サービスなどのうちの1つまたは複数に関連付けられた、それらを示すまたは表す、あらかじめ定義された用語または値であり得る。汎用サービスタイプ値は、関連する緊急サービス電話番号値が任意のタイプの緊急のために使用され得ることを示し得る。以下は、汎用サービスタイプに対応する、よく知られている緊急サービス電話番号である:米国では911、ヨーロッパでは112。モバイル国コード(「MCC」)値は、パブリックランドモバイルネットワーク(「PLMN」)識別子の一部として通信ネットワークによって使用されるMCC値であり得る。通信ネットワークからPLMN値の一部として与えられるMCCは、通信ネットワークが関連付けられる国を示し得る。緊急サービス情報マッピングテーブル112では、MCC値は、関連する緊急サービス電話番号が有効である国を示し得る。
【００６０】
いくつかの状況では、ユーザ100は、ユーザが暗記した緊急サービス電話番号に基づいて、緊急サービスを要求するために電話をかけることができる。地理的エリア140が、ユーザ100が定期的に居住し、暗記された緊急サービス電話番号が関連付けられる地理的エリアである場合、モバイルデバイス110は、ユーザ100によって暗記されダイヤルされた番号を使用して、通話を直接開始することができる。
【００６１】
しかしながら、ユーザ100がモバイルデバイス110をユーザ100が定期的に居住する地理的エリアではない地理的エリア142に移動すると、ユーザ100によって暗記されダイヤルされた緊急サービス電話番号は有効ではないことがある。この状況が図2に示されている。この状況では、モバイルデバイス110は、緊急サービスへの通話を開始するために、緊急サービス情報マッピングテーブル112を使用することができる。いくつかの実施形態では、モバイルデバイス110は、緊急サービスへの通話を開始するために、地理的エリア140においても緊急サービス情報マッピングテーブル112を使用することができる。これらの目的での緊急サービス情報マッピングテーブル112のいくつかの例示的な使用について、以下で説明する。
【００６２】
地理的エリア142および/または140において緊急サービスへの通話を開始するために緊急サービス情報マッピングテーブル112を使用するための例示的な方法について、図1および図2を参照しながら説明する。ユーザ100がモバイルデバイス110を使用して電話番号をダイヤルすると、モバイルデバイス110は、緊急サービスに連絡するのを容易にするために、いくつかのアクションを実行し得る。モバイルデバイス110は、ダイヤルされた電話番号がテーブルに存在するかどうかを判断するために、緊急サービス情報マッピングテーブル112を検索し得る。存在する場合、モバイルデバイス110は、ユーザが緊急サービスに連絡しようとしていると判断したことになる。次いで、モバイルデバイス110は、(緊急サービス情報マッピングテーブル112から取り出されるときの)ダイヤルされた電話番号のMCC値を、モバイルデバイス110上に事前記憶されたホームMCC値と比較し得る。それらの値が一致する場合、モバイルデバイス110は、ユーザがユーザのホーム国の電話番号を使用して緊急サービスにダイヤルしようとしたと判断したことになる。次いで、モバイルデバイス110は、モバイルデバイス110上に記憶されている現在のMCC値と一致するMCC値を含むすべてのエントリを識別するために、緊急サービス情報マッピングテーブル112を検索し得る。その検索で見つかったエントリ(すなわち、現在のMCC値と一致するMCC値を含むエントリ)について、モバイルデバイス110は、それらのエントリに含まれる緊急サービス電話番号のうちの1つまたは複数を取り出す(およびそれらをダイヤルするまたはさもなければそれらに電話をかける)ことができる。特定の実施形態では、モバイルデバイス110は、それらのエントリのうちの選択されたエントリに含まれる緊急サービス電話番号を取り出す(およびそれらをダイヤルするまたはさもなければそれらに電話をかける)ことができ、その選択されたエントリは、ユーザ100によってダイヤルされた電話番号の緊急サービスタイプ値と一致する緊急サービスタイプ値を有する。この手法を使用すると、ユーザ100は、ユーザがいる別の国または地理的領域における同様のタイプの緊急サービスとつながるために、自分のホーム国または地理的領域の緊急サービス電話番号を覚え、ダイヤルするだけでよい。
【００６３】
緊急サービス情報マッピングテーブル112は、任意の適切な方法でモバイルデバイス110上で提供され得る。たとえば、緊急サービス情報マッピングテーブル112は、エンドユーザへのモバイルデバイス110の販売前に、モバイルデバイス110上に記憶され得る。このようにして、緊急サービス情報マッピングテーブル112は、モバイルデバイスがユーザによって購入されるかまたは別の方法で取得される前にまたはその時点で、モバイルデバイス110上にインストールされたソフトウェアの一部として提供され得る。特定の実施形態では、緊急サービス情報マッピングテーブル112は、後ほど更新され得るデフォルトのテーブルとして、モバイルデバイス110上で提供され得る。さらなる実施形態では、緊急サービス情報マッピングテーブル112は、ユーザ100がモバイルデバイス110にインストールすることができる、取外し可能な非一時的電子記憶媒体上で提供され得る。緊急サービス情報マッピングテーブル112は、通信ネットワーク120、122を介してワイヤレス通信によって更新され得る。緊急サービス情報マッピングテーブル更新は、様々な状況においてまたは1つもしくは複数のあらかじめ定義されたイベント時に、コンピューティングデバイス130、132から通信ネットワーク120、122を介して送信され得る。たとえば、緊急サービス情報マッピングテーブル更新は、地理的エリア140、142のうちの1つまたは複数の緊急サービス電話番号のうちの1つまたは複数が変更されたときに送信され得る。別の例として、緊急サービス情報マッピングテーブル更新は、モバイルデバイス110が通信ネットワークが関連付けられる地理的エリアに入るかまたは再び入るときに送信され得る。他の実施形態では、緊急サービス情報マッピングテーブル112は、他の適切な方法でモバイルデバイス110上で提供され得る。
【００６４】
いくつかの実施形態では、モバイルデバイス110は、緊急サービスタイプ値間でマッピングし得る。上記で説明したように、モバイルデバイス110は、現在のMCCを含む任意のテーブルエントリが、ユーザ100によってダイヤルされた番号に関連付けられた緊急サービスタイプ値と一致する緊急サービスタイプ値も含むかどうかを判断するために、緊急サービス情報マッピングテーブル112を検索するように構成され得る。しかしながら、現在のMCCと一致する緊急サービスタイプ値の両方を含むテーブルエントリが、モバイルデバイス110上に記憶されたテーブルに存在しないことがある。そのような場合、モバイルデバイス110は、現在のMCCについてのダイヤルすべき緊急サービス電話番号を選択するために、緊急サービスタイプ値間でマッピングするように構成され得る。たとえば、ユーザ100が救急車、警察、または消防のうちの1つに対する電話番号をダイヤルするが、現在の地理的エリアが汎用サービス電話番号のみを有する場合、モバイルデバイス110は、汎用サービスタイプ値に対応する緊急サービス電話番号を選択し得る。緊急サービスタイプ値間の様々な他のあらかじめ定義されたマッピングは、他の実施形態において使用され得る。
【００６５】
いくつかの実施形態では、モバイルデバイス110は、緊急サービス電話番号への電話のための呼セットアップ情報の中にまたはそれとともに、要求されたサービスタイプ情報を含み得る。上記で説明したように、モバイルデバイス110は、あらかじめ定義された場合では、サービスタイプにわたってマッピングするように構成され得る。たとえば、モバイルデバイス110は、ユーザ100からの試行された呼についての追加の情報を有し得、そのような追加の情報は、緊急サービスをユーザ100にプロビジョニングするのに役立つ場合がある。たとえば、モバイルデバイス110は、ユーザによってダイヤルされた番号の緊急サービスタイプに対応する要求されたサービスタイプ情報を提供するように構成され得る。一例として、ユーザ100が救急車サービスの緊急サービス電話番号をダイヤルするが、現在の地理的エリアが汎用サービス電話番号のみを有する場合、モバイルデバイス110は、汎用サービス電話番号に電話をかけるだけでなく、追加の情報を呼に提供するようにも構成され得、そのような追加の情報は、ユーザ100によって所望されるサービスが救急車サービスであることを示す印を含み得る。これは、連絡を受けた緊急サービスエンティティが所望のサービスをユーザ100に比較的迅速に提供するのを支援し得る。要求されたサービスタイプ情報の他の形態は、他の実施形態において提供され得る。
【００６６】
図3は、いくつかの実施形態によるモバイルデバイス300の要素を示すブロック図である。モバイルデバイス300は、モバイルデバイス110など、本明細書で説明する様々なモバイルデバイスに対応し得る。モバイルデバイス300は、緊急サービス情報マッピングテーブル302と、ホームモバイル国コード304と、現在のモバイル国コード306とを含む。緊急サービス情報マッピングテーブル302は、本明細書で説明する緊急サービス情報マッピングテーブルに対応し得る。たとえば、緊急サービス情報マッピングテーブル302は、複数のエントリを含むことができ、各エントリは、モバイル国コード値と、緊急サービス電話番号値と、緊急サービスタイプ値とを含む。
【００６７】
ホームモバイル国コード304は、モバイルデバイス300のホーム国に対応するMCC値であり得る。ホーム国は、モバイルデバイス300およびそのユーザが拠点とするかまたは通常位置している国であり得る。モバイルデバイス300は、ホーム国における国内セルラー電話サービスを提供され得る。モバイルデバイス300のユーザは、ホーム国において有効である緊急サービス電話番号をよく知っていると思われる。
【００６８】
ホームモバイル国コード304とは対照的に、現在のモバイル国コード306は、モバイルデバイス300が位置している現在の国または他の地理的領域に対応するMCC値であり得る。モバイルデバイス300は、モバイルデバイス300の範囲内の通信ネットワークによって送信された(各々がMCC値を含む)PLMN値を時折チェックし得る。次いで、モバイルデバイス300は、PLMN値に含まれるMCC値を現在のモバイル国コード306と比較し得る。値が一致しない場合、直近に受信されたMCC値が現在のモバイル国コード306として記憶され得る。このようにして、モバイルデバイス300は、モバイルデバイス300が現在位置している地理的エリアのMCC値を記憶し得、その記憶されたMCC値は、モバイルデバイス300にとっての「現在のMCC」値である。
【００６９】
緊急サービス情報マッピングテーブル302、ホームモバイル国コード304、および現在のモバイル国コード306は、任意の適切な方法でモバイルデバイス300に提供され、モバイルデバイス300上に記憶され得る。その情報は、モバイルデバイス300の不揮発性メモリに記憶され得る。その情報の一部はモバイルデバイス300の不揮発性メモリに記憶され得るが、その情報の他の部分はモバイルデバイス300の揮発性メモリに記憶される。たとえば、緊急サービス情報マッピングテーブル302は、モバイルデバイス300の不揮発性ハードドライブに記憶され得、ホームモバイル国コード304は、モバイルデバイス300にインストールされた不揮発性加入者識別モジュール(「SIM」)カード上に記憶され得、現在のモバイル国コード306は、モバイルデバイス300の揮発性メモリに記憶され得る。別の例として、緊急サービス情報マッピングテーブル302は、モバイルデバイス300に関連付けられた不揮発性ストレージデバイスのEFSパーティション部分に記憶され得る。モバイルデバイス300上でその情報を記憶するかまたはさもなければ提供する他の方法は、他の実施形態において用いられる。
【００７０】
図4は、いくつかの実施形態による、例示的な緊急サービス情報マッピングテーブル400である。緊急サービス情報マッピングテーブル400は、複数のエントリ402、404、406、408、410、412、414、および416を含む。示すように、緊急サービス情報マッピングテーブル400の各エントリは、モバイル国コード値と、緊急サービス電話番号値と、緊急サービスタイプ値とを含む。エントリ402は、MCC値:310でアメリカ合衆国を識別する。対応する汎用サービス電話番号911は、エントリ402の一部として含まれる。エントリ404、406、および408の各々は、MCC値:404でインドを識別する。エントリ404、406、および408について、それぞれ、警察、消防、および救急車の緊急サービスタイプのインドにおける緊急サービス電話番号が示されている。エントリ410、412、および414は、730のMCC値でチリを識別する。エントリ410、412、および414について、それぞれ、救急車、消防、および警察の緊急サービスタイプのチリにおける緊急サービス電話番号が示されている。エントリ416は、214のMCC値でスペインを識別する。汎用サービス緊急サービスタイプのスペインにおける緊急サービス電話番号は、エントリ416に示されている。緊急サービス情報マッピングテーブル400は、本明細書で説明する緊急サービス情報マッピングテーブルのいずれかに対応し得る。緊急サービス情報マッピングテーブル400は、4つのMCC値に対するエントリ(たとえば、4つの異なる国または他の地理的領域)を含むが、他の実施形態の緊急サービス情報マッピングテーブルは、図4のテーブルよりも少ないまたは多い国(または他の地理的領域)に対応する、図4に示すよりも少ないまたは多いエントリを含み得ることを理解されたい。また、さらなる実施形態では、緊急サービス情報マッピングテーブル400は、図4のテーブルよりも少ないまたは多い緊急サービスタイプに対する、より少ないまたは多いエントリを含み得る。緊急サービス情報マッピングテーブル400に対する他の適切な修正および拡張は、他の実施形態に含まれ得る。
【００７１】
図5は、いくつかの実施形態による、緊急サービス情報をプロビジョニングするためのプロセスのフローチャートである。図5のプロセスは、モバイルデバイス110またはモバイルデバイス1000などのモバイルデバイスによって実行され得る。図5のプロセスはブロック500において開始する。
【００７２】
ブロック502において、説明したような緊急サービス情報マッピングテーブルが受信される。たとえば、緊急サービス情報マッピングテーブルは、エントリを含み得、各エントリは、モバイル国コード値と、緊急サービス電話番号値と、緊急サービスタイプ値とを含む。緊急サービス情報マッピングテーブルは、任意の適切な方法で受信され得る。たとえば、緊急サービス情報マッピングテーブルは、緊急サービス情報マッピングテーブルに含まれる情報を含む電子ファイルを受信することによって、受信され得る。緊急サービス情報マッピングテーブルは、モバイルデバイスのデータポートにおいてメモリカード、SIMカード、または他のストレージデバイスを受けるモバイルデバイスによって受信され得、緊急サービス情報マッピングテーブルは、メモリカード、SIMカード、または他のストレージデバイス上に記憶される。緊急サービス情報マッピングテーブルは、緊急サービス情報マッピングテーブルが記憶されるメモリカード、SIMカード、または他のストレージデバイスから緊急サービス情報マッピングテーブルを取り出すモバイルデバイスによって受信され得る。緊急サービス情報マッピングテーブルは、モバイルデバイスが通信している通信ネットワークのコンピューティングデバイスから、オーバージエアでモバイルデバイスによって受信され得る。緊急サービス情報マッピングテーブルは、本開示の様々な実施形態において様々な他の方法で受信され得る。
【００７３】
ブロック504において、情報は緊急サービス情報マッピングテーブルから取り出される。情報は、様々な方法で緊急サービス情報マッピングテーブルから取り出され得る。たとえば、情報は、モバイルデバイスが、モバイルデバイスのユーザによってダイヤルされた電話番号について緊急サービス情報マッピングテーブルを検索することの一部として、緊急サービス情報マッピングテーブルから取り出され得る。情報は、モバイルデバイスが、現在のモバイル国コードに対応する1つまたは複数の電話番号について緊急サービス情報マッピングテーブルを検索することの一部として、緊急サービス情報マッピングテーブルから取り出され得る。情報は、モバイルデバイスが、緊急サービス情報マッピングテーブルからエントリを選択したことに基づいて電話番号に電話をかけることの一部として、緊急サービス情報マッピングテーブルから取り出され得る。情報は、モバイルデバイスのユーザからの入力に基づいて緊急サービス情報マッピングテーブルから取り出され得る。たとえば、モバイルデバイスは、ユーザが電話をダイヤルすることに基づいて緊急サービス情報マッピングテーブルから情報を取り出し得る。情報は、本開示の様々な実施形態において様々な他の方法で緊急サービス情報マッピングテーブルから取り出され得る。
【００７４】
プロセスはブロック506において終了する。
【００７５】
図6は、本開示のいくつかの実施形態による、緊急サービス情報をプロビジョニングするためのプロセスのフローチャートである。図6のプロセスは、モバイルデバイス110またはモバイルデバイス1000などのモバイルデバイスによって実行され得る。プロセスはブロック600において開始する。
【００７６】
ブロック602において、デフォルトの緊急サービス情報マッピングテーブルが受信される。デフォルトの緊急サービス情報マッピングテーブルは、本開示の他の場所で説明したように緊急サービス情報マッピングテーブルであり得る。デフォルトの緊急サービス情報マッピングテーブルは、モバイルデバイスのデータポートにおいてメモリカード、SIMカード、または他のストレージデバイスを受けるモバイルデバイスによって受信され得、デフォルトの緊急サービス情報マッピングテーブルは、メモリカード、SIMカード、または他のストレージデバイス上に記憶される。デフォルトの緊急サービス情報マッピングテーブルは、デフォルトの緊急サービス情報マッピングテーブルが記憶されるメモリカード、SIMカード、または他のストレージデバイスからデフォルトの緊急サービス情報マッピングテーブルを取り出すモバイルデバイスによって受信され得る。デフォルトの緊急サービス情報マッピングテーブルは、モバイルデバイスが通信している通信ネットワークのコンピューティングデバイスから、オーバージエアでモバイルデバイスによって受信され得る。デフォルトの緊急サービス情報マッピングテーブルは、本開示の様々な実施形態において様々な他の方法で受信され得る。
【００７７】
いくつかの実施形態では、ブロック602においてデフォルトの緊急サービス情報マッピングテーブルを受信するモバイルデバイスは加えて、デフォルトの緊急サービス情報マッピングテーブルを記憶し得る。デフォルトの緊急サービス情報マッピングテーブルは、モバイルデバイスのメモリデバイス上に記憶され得る。デフォルトの緊急サービス情報マッピングテーブルは、モバイルデバイスにインストールされ得る取外し可能な媒体上に記憶され得る。デフォルトの緊急サービス情報マッピングテーブルは、エンドユーザへのモバイルデバイスの販売前に、モバイルデバイス上に記憶され得る。これは、エンドユーザによるモバイルデバイスの初期使用から本開示の緊急サービス情報プロビジョニング技法を可能にする方法として有利であり得る。デフォルトの緊急サービス情報マッピングテーブルは、本開示の様々な実施形態において様々な他の方法で記憶され得る。
【００７８】
ブロック604において、緊急サービス情報マッピングテーブル更新が、オーバージエアでモバイルデバイスによって受信される。緊急サービス情報マッピングテーブル更新は、モバイルデバイス上に記憶された緊急サービス情報マッピングテーブルに対して行われるべき変更について命令する通信ネットワークのノードから受信されたコマンドであり得る。たとえば、緊急サービス情報マッピングテーブル更新は、(たとえば、MCC、緊急サービス電話番号、緊急サービスタイプからなる)エントリと、修正コマンドとを含み得る。修正コマンドは、たとえば、DELETEまたはADDであり得る。モバイルデバイス上に記憶された緊急サービス情報マッピングテーブルに対する更新を行うために、2つ以上の緊急サービス情報マッピングテーブル更新が受信され得る。緊急サービス情報マッピングテーブル更新は、通信ネットワークの基地局の範囲内のすべてのモバイルデバイスによって受信されたブロードキャスト制御メッセージの一部として受信され得る。緊急サービス情報マッピングテーブル更新は、モバイルデバイスから通信ネットワークのコンピューティングデバイスへのクエリに基づいて受信され得る。クエリは最終更新日を指定し得、それに応答して、通信ネットワークは、緊急サービス情報マッピングテーブル更新に、最終更新日の後の緊急サービス情報マッピングテーブル情報に対するすべての変更を与え得る。クエリは特定のMCCまたは国についての最終更新日を指定し得、それに応答して、モバイルデバイスは、最終更新日の後の指定されたMCCまたは国についての緊急サービス情報マッピングテーブル情報に対するすべての変更についての緊急サービス情報マッピングテーブル更新を通信ネットワークから受信し得る。緊急サービス情報マッピングテーブル更新は、本開示の様々な実施形態において様々な他の方法でオーバージエアで受信され得る。
【００７９】
プロセスはブロック606において終了する。
【００８０】
図7は、本開示のいくつかの実施形態による、緊急サービス情報をプロビジョニングするためのプロセスのフローチャートである。図7のプロセスは、モバイルデバイス110またはモバイルデバイス1000などのモバイルデバイスによって実行され得る。プロセスはブロック700において開始する。
【００８１】
ブロック702において、緊急サービス情報マッピングテーブルが受信される。緊急サービス情報マッピングテーブルは、本開示の他の場所で説明したように受信され得る。たとえば、緊急サービス情報マッピングテーブルは、モバイルデバイスによって受信され得る。
【００８２】
ブロック704において、現在のモバイル国コードが受信される。これは、モバイルデバイスが、通信ネットワークの基地局からブロードキャストされたPLMN値を受信することを伴い得る。次いで、モバイルデバイスは、PLMN値からMCC値を抽出し得る。次いで、モバイルデバイスは、このMCC値を現在のMCC値として記憶するかまたはさもなければそのように扱い得る。
【００８３】
ブロック706において、ユーザによってダイヤルされた電話番号が受信される。これは、モバイルデバイスが、ユーザによってダイヤルされた電話番号を受信することを伴い得る。ユーザは、モバイルデバイスのキーパッド上で電話番号を入力した場合がある。次いで、ユーザは、ダイヤルされた電話番号に電話をかけるために、「Call」もしくは「Send」を押下するかまたは何らかの他のアクションを取った場合がある。ダイヤルされた電話番号に直接電話をかける代わりに、モバイルデバイスは、ダイヤルされた電話番号を受信し、この図のフローチャートのその他のブロックを実行することがある。
【００８４】
ブロック708において、現在のMCC値がホームMCC値と同じであるかまたはホームMCC値とは異なるかについての判断が行われる。ホームMCC値は、本開示の他の場所で説明したようにモバイルデバイス上に記憶され得る。現在のMCC値とホームMCC値が異ならない場合、プロセスはブロック722において終了する。この場合、ユーザが現在の地理的エリアにおいて有効である電話番号をダイヤルした可能性があるので、緊急サービス情報マッピングテーブルの使用は必要ではないことがある。現在のMCC値とホームMCC値が異なる場合、プロセスはブロック710において継続する。この場合、モバイルデバイスはユーザのホーム国にないので、緊急サービス情報マッピングテーブルの使用が必要であり得る。
【００８５】
ブロック710において、ホームMCC値に対応するエントリについて緊急サービス情報マッピングテーブルが検索される。これは、ホームMCCと同じであるMCC値を有する任意のエントリについて緊急サービス情報マッピングテーブルを検索することを伴い得る。このブロックを実行することによって、ホームMCC値と一致するMCC値を有する緊急サービス情報マッピングテーブルの1つまたは複数のエントリを選択することになり得る。これらのエントリは、ホームMCCエントリと呼ばれることがある。
【００８６】
ブロック712において、ダイヤルされた電話番号と同じである緊急サービス電話番号を有するエントリについてホームMCCエントリが検索される。このブロックを実行することによって、緊急サービス情報マッピングテーブルの単一のエントリを選択することになり得る。そのようなエントリが見つかった場合、ユーザは自分のホーム国の緊急サービス電話番号をダイヤルしたことになる。そのエントリについて、緊急サービスタイプ値が、ダイヤルされた番号に対応するものとして記録され得る。
【００８７】
ブロック714において、ホームMCCエントリにおいて、ダイヤルされた電話番号と同じである緊急サービス電話番号を有するエントリが見つかったかどうかについての判断が行われる。このブロックは、ブロック712の検索によってエントリが見つかったかまたはエントリが見つからなかったかを判断することを伴い得る。そのようなエントリが見つからなかった場合、プロセスはブロック722において終了する。この場合、ユーザは自分のホーム国の緊急サービス電話番号をダイヤルしなかったので、緊急サービス情報マッピングテーブルのさらなる使用が必要であり得る。そのようなエントリがブロック712の一部として見つかった場合、プロセスはブロック716において継続する。この場合、ユーザは自分のホーム国の緊急サービス電話番号をダイヤルしたことになる。さらに、ユーザが自分のホーム国とは異なる国にいることがすでに判断された。したがって、現在の地理的エリアにおける緊急サービスに電話をかけるために、緊急サービス情報マッピングテーブルを使用することが必要であり得る。
【００８８】
ブロック716において、現在のMCC値と同じであるMCC値を有するエントリについて緊急サービス情報マッピングテーブルが検索される。このようにして、モバイルデバイスが位置している現在の地理的エリアにおいて有効である緊急サービス電話番号を有するすべてのエントリを見つけるための検索が実行され得る。そのような各エントリは、ダイヤルされるべき番号としての選択の候補と見なされ得る。
【００８９】
ブロック718において、候補エントリのセットのうちの1つのエントリが選択される。エントリのセットが現在のMCC値と同じであるMCC値を有することがわかったことに基づいて、現在の地理的エリアについて1つまたは複数のエントリが有効であり得る。したがって、それらのエントリのうちの1つが選択され得、その結果、緊急サービス電話番号に対応する電話がかけられ得る。この選択は、様々な方法で実行され得る。候補エントリからのランダムなエントリが選ばれ得る。いくつかの実施形態では、選択は、本開示の他の場所で説明した技法に従って実行され得る(次の図を参照)。
【００９０】
ブロック720において、選択されたエントリの緊急サービス電話番号に電話がかけられる。いくつかの実施形態では、これは、選択された緊急サービス電話番号に標準的な電話をかけることを伴い得る。いくつかの実施形態では、本開示の他の場所で説明したように、呼セットアップ情報に追加の情報が含まれ得る。
【００９１】
プロセスはブロック722において終了する。
【００９２】
図8は、本開示のいくつかの実施形態による、緊急サービス情報をプロビジョニングするためのプロセスのフローチャートである。図8のプロセスは、モバイルデバイス110またはモバイルデバイス1000などのモバイルデバイスによって実行され得る。この図のプロセスは、前の図のブロック718および720に関して説明したように、現在のMCCについての緊急サービス情報マッピングテーブルからのエントリの選択と、選択されたエントリに基づいて電話をかけることとを実行するために使用され得る。プロセスはブロック800において開始する。プロセスは候補エントリのセットから始まり得、各候補エントリは、現在のMCC値と同じであるMCC値を有する。
【００９３】
ブロック802において、候補エントリのうちのエントリが、ダイヤルされた電話番号の緊急サービスタイプ値と同じである緊急サービスタイプ値を有するかどうかについての判断が行われる。前の図に関して説明したように、ユーザによってダイヤルされた電話番号の緊急サービスタイプ値が判断され得る。候補エントリのうちのエントリが同じ緊急サービスタイプ値を有する場合、プロセスはブロック804において継続する。候補エントリのうちのいずれのエントリもダイヤルされた電話番号の緊急サービスタイプ値と同じ緊急サービスタイプ値を有しない場合、プロセスはブロック808において継続する。
【００９４】
ブロック804において、ダイヤルされた番号と同じ緊急サービスタイプ値を有する候補エントリのうちのエントリが選択される。この場合、ユーザがダイヤルされた電話番号を使用して連絡しようとした緊急サービスと同じタイプの緊急サービスを提供する現在のMCCに対するエントリが見つかったことになる。したがって、電話をかけるために、このエントリが選択される。
【００９５】
ブロック806において、ブロック804において選択されたエントリの緊急サービス電話番号に電話がかけられる。この電話をかけることは、ユーザが選択された緊急サービス電話番号を自分自身でダイヤルしたかのような標準的な発呼(call placement)として実行され得る。次いで、プロセスはブロック820において終了する。
【００９６】
ブロック808において、候補エントリのうちのエントリが汎用サービスの緊急サービスタイプ値を有するかどうかについての判断が行われる。このブロックにおいて、ダイヤルされた電話番号の緊急サービスタイプに対する正確な一致を有する、現在のMCCに対する緊急サービス電話番号が存在しないことがブロック802においてすでに判断されている。したがって、次の選択肢は、汎用サービス電話番号のエントリを選択することであるが、これは、そのような緊急サービス電話番号が、多種多様な緊急事態に対処することが可能であり得るからである。候補エントリのうちのエントリが汎用サービスの緊急サービスタイプ値を有する場合、プロセスはブロック810において継続する。候補エントリのうちのいずれのエントリも汎用サービスの緊急サービスタイプ値を有しない場合、プロセスはブロック814において継続する。
【００９７】
ブロック810において、汎用サービスの緊急サービスタイプ値を有する候補エントリのうちのエントリが選択される。
【００９８】
ブロック812において、ブロック810において選択されたエントリの緊急サービス電話番号に電話がかけられる。この電話をかけることは、呼セットアップ情報の一部としての追加の要求されたサービスタイプ情報を使用して実行され得る。要求されたサービスタイプ情報は、ダイヤルされた電話番号の緊急サービスタイプ値の単純な識別子であり得る。たとえば、要求されたサービスタイプ情報は、2ビット値、3ビット値、4ビット値、またはそれ以上のビット値であり得る。3ビットの要求されたサービスタイプ情報値の場合、値のうちのいくつかは、警察が001、救急車が010、消防が011、毒物が100、交通警察が101、などであり得る。次いで、プロセスはブロック820において終了する。
【００９９】
ブロック814において、別のサービスタイプマッピングが決定される。この状況では、ダイヤルされた番号と同じ緊急サービスタイプを有するエントリも、汎用サービス緊急サービスタイプを有するエントリも見つかっていない。したがって、選ぶべき候補エントリのうちの最良のエントリを決定するために、異なる緊急サービスタイプ間のマッピングが使用され得る。例示的な緊急サービスタイプマッピングが次の図に示されている。
【０１００】
ブロック816において、緊急サービスタイプマッピングを使用して、候補エントリのうちのエントリが選択される。
【０１０１】
ブロック818において、ブロック816において選択されたエントリの緊急サービス電話番号に電話がかけられる。この電話をかけることは、呼セットアップ情報の一部としての追加の要求されたサービスタイプ情報を使用して実行され得る。要求されたサービスタイプ情報は、ブロック812に関して上記で説明したサービスタイプ情報として与えられ得る。次いで、プロセスはブロック820において終了する。
【０１０２】
図9は、本開示のいくつかの実施形態による、緊急サービスタイプのマッピングを示すブロック図である。ブロック900、902、904、906、908、910、および912が示されている。緊急サービスタイプのマッピングは、前の図のブロック814およびブロック816に関して説明したように、緊急サービスに電話をかけるための候補エントリのうちのエントリを選択するために使用され得る。図に示すように、緊急サービスタイプのマッピングは、緊急サービスタイプから他の緊急サービスタイプへのマッピングを行い得る。緊急サービスタイプのマッピングは、ダイヤルされた電話番号の緊急サービスタイプのブロックを最初に見つけることによって使用され得る。次いで、そのブロックから別のブロックへのパスが続く。次いで、その宛先ブロックの緊急サービスタイプが使用される。次いで、宛先ブロックの緊急サービスタイプを有する候補エントリのうちのエントリが選択される。候補エントリにそのようなエントリが存在しない場合、緊急サービスタイプのマッピングが再び使用され、パスに沿って宛先ブロックから別のブロックに移動する。候補エントリのうちのエントリが成功裏に選択されるまで、このプロセスが繰り返され得る。
【０１０３】
一例として、ダイヤルされた電話番号が毒物の緊急サービスタイプを有する場合に、緊急サービスタイプのマッピングが使用され得る。これは、ユーザが自分のホーム国の毒物ホットラインに対応する緊急サービス電話番号をダイヤルしたことを意味し得る。しかしながら、現在の地理的エリアにおいて毒物または汎用サービスの緊急サービス電話番号が存在しないことがあり得る。したがって、ブロック904において開始する緊急サービスタイプのマッピングが使用される。パスが続き、これはブロック902の宛先ブロックにつながる。ブロック902は、救急車の緊急サービスタイプに対応する。したがって、候補エントリのうちのエントリが救急車の緊急サービスタイプを有する場合、そのエントリが選択される。救急車の緊急サービスタイプに対するエントリが存在しない場合、緊急サービスタイプのマッピングが再び使用され、警察のブロック900へのパスに続く。したがって、候補エントリのうちのエントリが警察の緊急サービスタイプを有する場合、そのエントリが選択される。
【０１０４】
この図の緊急サービスタイプのマッピングは、例示的なものにすぎない。異なる特徴を有する緊急サービスタイプのマッピングが、本開示のいくつかの実施形態において使用され得る。たとえば、より多くの緊急サービスタイプのより多くのブロックが、緊急サービスタイプのマッピングにおいて使用され得る。別の例として、ブロック間のより多くのパスが使用され得る。緊急サービスタイプのマッピングに対する様々な他の修正が、本開示の様々な実施形態において使用され得る。
【０１０５】
いくつかの実施形態では、本開示の技法が実装されていることを示すために、様々なインジケータがモバイルデバイスのユーザに与えられ得る。たとえば、ダイヤルされた電話番号が現在の地理的エリアの異なる緊急サービス電話番号にマッピングされている場合、モバイルデバイスのスクリーン上の様々な視覚出力が使用され得る。たとえば、911というダイヤルされた電話番号が112にマッピングされている場合、以下の視覚インジケータが提示され得る:「911は、現在の地理的エリアでは有効ではありません。112がダイヤルされています...」。様々な他のインジケータが、本開示の様々な実施形態において使用され得る。
【０１０６】
図10は、本開示の様々な実施形態によるモバイルデバイス1000の機能ブロック図である。いくつかの実施形態では、モバイルデバイス1000は、本明細書で以前に説明したようなモバイルデバイスとして使用され得る。
【０１０７】
モバイルデバイス1000は、識別モジュールインターフェース1002を含み得る。識別モジュールインターフェース1002は、モバイルデバイス1000のユーザについてのサブスクリプションに関連付けられた識別モジュール1004を受けることができる。いくつかの実施形態では、識別モジュールインターフェース1002はSIMインターフェースであり得、識別モジュール1004はSIMカードであり得る。
【０１０８】
モバイルデバイス1000は、少なくとも1つのプロセッサ1006を含み得る。いくつかの実施形態では、プロセッサ1006は、汎用プロセッサとして提供され得る。プロセッサ1006は、汎用プロセッサ(たとえば、マイクロプロセッサ)など、任意の適切なデータ処理デバイスを含み得る。代替として、プロセッサ1006は、任意の適切な電子プロセッサ、コントローラ、マイクロコントローラ、または状態機械であり得る。プロセッサ1006はまた、コンピューティングデバイスの組合せ、たとえば、DSPとマイクロプロセッサの組合せ、複数のマイクロプロセッサ、DSPコアと連携する少なくとも1つのマイクロプロセッサ、または任意の他のそのような構成として実装され得る。
【０１０９】
モバイルデバイス1000は、プロセッサ1006に結合されたコーダ/デコーダ(コーデック)1008を含み得る。コーデック1008は、1つまたは複数のユーザインターフェースデバイスに結合され得る。ユーザインターフェースデバイスは、ディスプレイおよびユーザ入力デバイスを含み得る。様々な実施形態では、ディスプレイは、人間が知覚可能な可視信号、可聴信号、触覚信号、またはそれらの任意の組合せを提供する任意の適切なデバイスを含み得る。ディスプレイは、限定はしないが、タッチスクリーン、LCD、LED、CRT、プラズマ、他の適切なディスプレイスクリーン、オーディオスピーカー1014、他のオーディオ生成デバイス、上記の組合せなどを含み得る。様々な実施形態では、ユーザ入力デバイスは、ユーザからの入力を受信する任意の適切なデバイスを含み得る。ユーザ入力デバイスは、限定はしないが、1つまたは複数の手動オペレータ(限定はしないが、スイッチ、ボタン、タッチスクリーン、ノブ、スライダーなど)、マイクロフォン1012、カメラ、画像センサー、上記の組合せなどを含み得る。
【０１１０】
モバイルデバイス1000は、プロセッサ1006に結合された少なくとも1つのメモリ1010を含み得る。メモリ1010は、プロセッサ実行可能命令を記憶する非一時的プロセッサ可読記憶媒体であり得る。この媒体は、限定はしないが、ランダムアクセスメモリ(「RAM」)、読取り専用メモリ(「ROM」)、フロッピーディスク、ハードディスク、ドングル、USB接続されたメモリデバイス、上記の組合せなどを含み得る。メモリ1010は、オペレーティングシステム(「OS」)ならびにユーザアプリケーションソフトウェアおよび実行可能命令を記憶し得る。
【０１１１】
モバイルデバイス1000は、プロセッサ1006に結合された少なくとも1つのベースバンドプロセッサ1016を含み得る。ベースバンドプロセッサ1016は、ベースバンドモデムプロセッサであり得る。モバイルデバイス1000内の各識別モジュール(たとえば、識別モジュール1004)は、ベースバンドRFリソースに関連付けられ得る。RFリソースは、少なくとも1つのベースバンドRFリソースチェーンを含み得る。ベースバンドRFリソースチェーンは、識別モジュール1004上で通信するためのベースバンド/モデム機能を実行し得るベースバンドプロセッサ1016を含み得る。ベースバンドRFリソースチェーンはまた、RFリソース1018など、1つまたは複数の増幅器および無線機を含み得る。RFリソース1018は、モバイルデバイス1000の送信/受信機能を実行するトランシーバであり得る。RFリソース1018は、送信機1020および受信機1022を含み得る。RFリソース1018は、別個の送信回路および受信回路を含み得るか、または、送信機回路と受信機回路とを組み合わせるトランシーバを含み得る。RFリソース1018は、ワイヤレス媒体を介してワイヤレス信号を送信および受信するためのワイヤレスアンテナ1024に結合され得る。RFリソース1018はさらに、ベースバンドプロセッサ1016に結合され得る。
【０１１２】
いくつかの実施形態では、プロセッサ1006、メモリ1010、ベースバンドプロセッサ1016、およびRFリソース1018は、システムオンチップとしてモバイルデバイス1000内に含まれ得る。いくつかの実施形態では、識別モジュール1004および識別モジュールインターフェース1002は、システムオンチップの外部にあり得る。さらに、様々な入力デバイスおよび出力デバイスが、インターフェースまたはコントローラなど、システムオンチップ上の構成要素に結合され得る。モバイルデバイス1000において使用するのに適した例示的なユーザ入力構成要素は、限定はしないが、キーパッド1026、タッチスクリーンディスプレイ1028、およびマイクロフォン1012を含み得る。
【０１１３】
いくつかの実施形態では、キーパッド1026、タッチスクリーンディスプレイ1028、マイクロフォン1012、またはそれらの組合せは、発信呼を開始するための要求を受信し得る。たとえば、タッチスクリーンディスプレイ1028は、連絡先リストからの連絡先の選択を受信するか、または電話番号を受信し得る。別の例として、発信呼を開始するための要求は、マイクロフォン1012を介して受信された音声コマンドの形態であり得る。当技術分野で知られているように、モバイルデバイス1000内の様々なソフトウェアモジュールおよび機能間の通信を可能にするために、それらの間にインターフェースが提供され得る。
【０１１４】
いくつかの実施形態(図示せず)では、モバイルデバイス1000は、とりわけ、追加の識別モジュール(たとえば、追加のSIMカード)、追加の識別モジュールインターフェース(たとえば、追加のSIMインターフェース)、複数のRFリソース、および追加のモバイルネットワークに接続するための追加のアンテナを含み得る。
【０１１５】
特定の実施形態では、メモリ1010は、緊急サービス命令1030など、本開示に関する様々な特徴を記憶するためのプロセッサ実行可能命令を記憶するように構成され得る。特定の実施形態では、メモリ1010は、緊急サービス情報マッピングテーブル1032を記憶するようにさらに構成され得る。
【０１１６】
特定の実施形態では、緊急サービス命令1030は、モバイルデバイス1000に緊急サービス情報マッピングテーブル1032を受信させるのに有効であり得る。たとえば、緊急サービス命令1030は、受信機1022に緊急サービス情報マッピングテーブル1032を受信させ得る。別の例として、緊急サービス命令1030は、緊急サービス情報マッピングテーブル1032が識別モジュール1004上に記憶される場合、プロセッサ1006に識別モジュール1004から緊急サービス情報マッピングテーブル1032の情報を取り出させることによって、モバイルデバイス1000に緊急サービス情報マッピングテーブル1032を受信させ得る。別の例として、緊急サービス命令1030は、緊急サービス情報マッピングテーブル1032がメモリ1032上に記憶される場合、プロセッサ1006にメモリ1032から緊急サービス情報マッピングテーブル1032の情報を取り出させることによって、モバイルデバイス1000に緊急サービス情報マッピングテーブル1032を受信させ得る。
【０１１７】
特定の実施形態では、緊急サービス命令1030は、モバイルデバイス1000に緊急サービス情報マッピングテーブル1032を記憶させるのに有効であり得る。たとえば、モバイルデバイス1000に結合された外部ストレージデバイス上の緊急サービス情報マッピングテーブル情報の存在を検出したことに基づいて、緊急サービス命令1030は、プロセッサ1006に、緊急サービス情報マッピングテーブル情報をメモリ1010に転送させ、その情報を緊急サービス情報マッピングテーブル1032として記憶させ得る。別の例として、RFリソース1018による緊急サービス情報マッピングテーブル更新を表すデータの受信を検出したことに基づいて、緊急サービス命令1030は、プロセッサ1006に、データをメモリ1010に転送させ、そのデータを緊急サービス情報マッピングテーブル1032の一部または全部として記憶させ得る。
【０１１８】
特定の実施形態では、緊急サービス命令1030は、緊急サービスへの通話を開始するために、モバイルデバイス1000に緊急サービス情報マッピングテーブル1032を使用させるのに有効であり得る。たとえば、タッチスクリーンディスプレイ1028からユーザによってダイヤルされた電話番号を受信したことに基づいて、緊急サービス命令1030は、プロセッサ1006に、ホームMCC値に対応するエントリについて緊急サービス情報マッピングテーブル1032を検索させ得る。ホームMCC値は、メモリ1010に、識別モジュール1004上に、または他の場所に記憶され得る。緊急サービス命令1030はさらに、プロセッサ1006に、ダイヤルされた電話番号についてホームMCCエントリを検索させ得る。ダイヤルされた番号が見つかった場合、緊急サービス命令1030は、プロセッサ1006に、現在のMCC値に対応するエントリについて緊急サービス情報マッピングテーブル1032を検索させ得る。現在のMCC値は、メモリ1010に、識別モジュール1004上に、または他の場所に記憶され得る。緊急サービス命令1030は、プロセッサ1006に、現在のMCC値についてのエントリのうちの1つを選択させ得る。緊急サービス1030は、通話を開始するのに必要な通信を実行するためにベースバンドプロセッサ1016、RFリソース1018、および1024を使用して、プロセッサ1006に、選択された現在のMCCエントリにおいて与えられた電話番号への通話を開始させ得る。
【０１１９】
特定の実施形態では、緊急サービス命令1030は、本開示の他の場所で説明した例示的なプロセスの様々な部分を実行するために、モバイルデバイス1000に緊急サービス情報マッピングテーブル1032を使用させるのに有効であり得る。
【０１２０】
前述の説明は、いかなる当業者も本明細書で説明する様々な態様を実践できるようにするために提供される。これらの態様に対する様々な修正は、当業者に容易に明らかになり、本明細書で定義した一般原理は、他の態様に適用され得る。したがって、特許請求の範囲は、本明細書に示す態様に限定されるものではなく、文言通りの特許請求の範囲と一致するすべての範囲を与えられるべきであり、単数形の要素への言及は、そのように明記されていない限り、「唯一無二の」ではなく、「1つまたは複数の」を意味するものとする。別段に明記されていない限り、「いくつかの」という用語は、1つまたは複数を指す。当業者に知られているか、または後に当業者に知られることになる、本開示全体にわたって説明する様々な態様の要素のすべての構造的および機能的等価物は、参照により本明細書に明確に組み込まれ、特許請求の範囲によって包含されるものとする。さらに、本明細書で開示するものは、そのような開示が特許請求の範囲において明示的に列挙されているかどうかにかかわらず、公に供されるものではない。いかなるクレーム要素も、要素が「ための手段」という句を使用して明確に列挙されていない限り、ミーンズプラスファンクションとして解釈されるべきではない。
【０１２１】
開示するプロセスにおけるステップの特定の順序または階層は、例示的な手法の一例であることを理解されたい。設計上の選好に基づいて、プロセスにおけるステップの特定の順序または階層は、本開示の範囲内にとどまりながら再構成され得ることを理解されたい。添付の方法クレームは、様々なステップの要素を例示的な順序で提示したものであり、提示された特定の順序または階層に限定されるものではない。
【０１２２】
情報および信号が様々な異なる技術および技法のいずれかを使用して表され得ることは、当業者であれば理解されよう。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１２３】
当業者であれば、本明細書で開示する実装形態に関して説明する様々な例示的な論理ブロック、モジュール、回路、およびアルゴリズムステップが、電子ハードウェア、有形媒体上で具現化されたコンピュータソフトウェア、または両方の組合せとして実装され得ることをさらに諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、有形媒体上で具現化されたソフトウェアとして実装されるかは、特定の適用例および全体的なシステムに課された設計制約に依存する。当業者は、説明した機能を特定の適用例ごとに様々な方法で実装し得るが、そのような実装の決定は、本開示の範囲からの逸脱を引き起こすものと解釈されるべきではない。
【０１２４】
本明細書で開示する実装形態に関して説明する様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、DSPとマイクロプロセッサの組合せ、複数のマイクロプロセッサ、DSPコアと連携する1つもしくは複数のマイクロプロセッサ、または任意の他のそのような構成として実装され得る。
【０１２５】
本明細書で開示する実装形態に関して説明する方法またはアルゴリズムのステップは、直接ハードウェアにおいて、プロセッサによって実行されるソフトウェアモジュールにおいて、またはその2つの組合せにおいて具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形態の記憶媒体に存在し得る。例示的な記憶媒体は、プロセッサが記憶媒体から情報を読み取り、記憶媒体に情報を書き込むことができるように、プロセッサに結合される。代替として、記憶媒体は、プロセッサと一体である場合がある。プロセッサおよび記憶媒体は、ASICに存在し得る。ASICは、ユーザ端末に存在し得る。代替として、プロセッサおよび記憶媒体は、個別構成要素としてユーザ端末に存在し得る。
【０１２６】
1つまたは複数の例示的な実装形態では、説明した機能は、ハードウェア、有形媒体上で具現化されたソフトウェアもしくはファームウェア、またはそれらの任意の組合せにおいて実装され得る。ソフトウェアにおいて実装される場合、機能は、1つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコードを搬送もしくは記憶するために使用され得、コンピュータによってアクセスされ得る任意の他の媒体を含むことができる。加えて、いかなる接続もコンピュータ可読媒体と適切に呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク（登録商標）(disc)、光ディスク(disc)、デジタル多用途ディスク(disc)(DVD)、フロッピーディスク(disk)、およびBlu-Rayディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれるべきである。
【０１２７】
開示した実装形態の前述の説明は、いかなる当業者も本開示を作成または使用できるようにするために提供される。これらの実装形態に対する様々な修正は、当業者に容易に明らかになり、本明細書で定義した一般原理は、本開示の趣旨または範囲から逸脱することなく他の実装形態に適用され得る。したがって、本開示は、本明細書に示す実装形態に限定されるものではなく、本明細書で開示する原理および新規の特徴と一致する最も広い範囲を与えられるべきである。
【符号の説明】
【０１２８】
100  ユーザ
110  モバイルデバイス
112  緊急サービス情報マッピングテーブル
120、122  通信ネットワーク
130、132  コンピューティングデバイス
140、142  地理的エリア
300  モバイルデバイス
302  緊急サービス情報マッピングテーブル
304  ホームモバイル国コード
306  現在のモバイル国コード
400  緊急サービス情報マッピングテーブル
402、404、406、408、410、412、414、416  エントリ
900、902、904、906、908、910、912  ブロック
1000  モバイルデバイス
1002  識別モジュールインターフェース
1004  識別モジュール
1006  プロセッサ
1008  コーダ/デコーダ(コーデック)、コーデック
1010  メモリ
1012  マイクロフォン
1014  オーディオスピーカー
1016  ベースバンドプロセッサ
1018  RFリソース
1020  送信機
1022  受信機
1024  ワイヤレスアンテナ
1026  キーパッド
1028  タッチスクリーンディスプレイ
1030  緊急サービス命令
1032  緊急サービス情報マッピングテーブル
【図１】
2018500783.tif 000003
【図２】
2018500783.tif 000004
【図３】
2018500783.tif 000005
【図４】
2018500783.tif 000006
【図５】
2018500783.tif 000007
【図６】
2018500783.tif 000008
【図７】
2018500783.tif 000009
【図８】
2018500783.tif 000010
【図９】
2018500783.tif 000011
【図１０】
2018500783.tif 000012
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
緊急サービス情報のプロビジョニングのための方法であって、
モバイルデバイスによって、緊急サービス情報マッピングテーブルを受信するステップであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、ステップと、
ホームモバイル国コード値が現在のモバイル国コード値とは異なるとき、前記モバイルデバイスによって、前記モバイルデバイスのユーザからの入力に応答して、前記緊急サービス情報マッピングテーブルから情報を取り出すステップと
を含む方法。
【請求項２】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項1に記載の方法。
【請求項３】
前記モバイルデバイスが現在位置している地理的エリアに関連付けられた前記現在のモバイル国コード値に対応するモバイル国コード値を有する1つまたは複数の第1のエントリについて前記緊急サービス情報マッピングテーブルの前記複数のエントリを検索するステップであって、前記1つまたは複数の第1のエントリの各々が、モバイル国コード値と、緊急サービス電話番号値と、緊急サービスタイプ値とを含む、ステップと、
前記第1のエントリのうちの少なくとも1つを選択するステップと、
前記選択されたエントリに含まれる前記緊急サービス電話番号値に対応する電話番号に電話をかけるステップと
をさらに含む、請求項1に記載の方法。
【請求項４】
少なくとも1つの第1のエントリを選択するステップが、前記ユーザによってダイヤルされた電話番号および前記モバイルデバイスに関連付けられたホーム地理的エリアに関連付けられた緊急サービスタイプ値に対応する緊急サービスタイプ値を有する第1のエントリについて前記1つまたは複数の第1のエントリを検索するステップと、前記ユーザによってダイヤルされた前記電話番号および前記モバイルデバイスに関連付けられた前記ホーム地理的エリアに関連付けられた前記緊急サービスタイプ値に対応する前記緊急サービスタイプ値を有する前記第1のエントリを選択するステップとを含む、請求項3に記載の方法。
【請求項５】
前記モバイルデバイス上に記憶された前記ホームモバイル国コード値に対応するモバイル国コード値を有する前記複数のエントリのうちの1つまたは複数のエントリについて前記緊急サービス情報マッピングテーブル中の前記複数のエントリを検索し、それらのエントリを選択するステップと、
前記1つまたは複数の選択されたエントリ中の前記緊急サービスタイプ値を、前記ユーザによってダイヤルされた前記電話番号および前記モバイルデバイスに関連付けられた前記ホーム地理的エリアに関連付けられた前記緊急サービスタイプ値として取り出すステップと
をさらに含む、請求項4に記載の方法。
【請求項６】
緊急サービス情報のプロビジョニングのための装置であって、
緊急サービス情報マッピングテーブルを含む電子ストレージを有するモバイルデバイスであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、モバイルデバイス
を備え、
ホームモバイル国コード値が現在のモバイル国コード値とは異なるとき、前記モバイルデバイスが、前記モバイルデバイスのユーザからの入力に応答して、前記緊急サービス情報マッピングテーブルから情報を取り出すように構成される、
装置。
【請求項７】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項6に記載の装置。
【請求項８】
前記モバイルデバイスが、通信ネットワークから前記現在のモバイル国コード値を受信するように構成され、前記現在のモバイル国コード値が、前記モバイルデバイスが現在位置している地理的エリアに対応し、
前記モバイルデバイスが、前記モバイルデバイスの前記ユーザによって入力された電話番号を受信するように構成され、
前記モバイルデバイスが、前記現在のモバイル国コード値が前記モバイルデバイス上に記憶された前記ホームモバイル国コード値とは異なると判断するように構成され、
前記モバイルデバイスが、前記複数のエントリのうちの1つまたは複数の第1のエントリについて前記緊急サービス情報マッピングテーブルを検索するように構成され、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、
請求項6に記載の装置。
【請求項９】
前記モバイルデバイスが、前記第1のエントリのうちの少なくとも1つに含まれる前記緊急サービス電話番号値が前記ユーザによって入力された前記電話番号であると判断するように構成され、
前記モバイルデバイスが、前記複数のエントリのうちの1つまたは複数の第2のエントリについて前記緊急サービス情報マッピングテーブルを検索するように構成され、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、
請求項8に記載の装置。
【請求項１０】
前記モバイルデバイスが、前記1つまたは複数の第2のエントリから第3のエントリを選択するように構成され、
前記モバイルデバイスが、前記第3のエントリに含まれる前記緊急サービス電話番号値に電話をかけるように構成される、
請求項9に記載の装置。
【請求項１１】
前記モバイルデバイスが、前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択するように構成される、請求項10に記載の装置。
【請求項１２】
前記モバイルデバイスが、前記1つまたは複数の第2のエントリのいずれも前記第1のエントリのうちの前記少なくとも1つに含まれる前記緊急サービスタイプ値と同じである緊急サービスタイプ値を含まないと判断するように構成され、
前記モバイルデバイスが、汎用サービスタイプ値である緊急サービスタイプ値を含む前記第3のエントリを選択することを含む方法で、前記1つまたは複数の第2のエントリから前記第3のエントリを選択するように構成される、
請求項10に記載の装置。
【請求項１３】
前記モバイルデバイスが、要求されたサービスタイプ情報を前記第3のエントリに含まれる前記緊急サービス電話番号値への電話のための呼セットアップ情報において提供することを含む方法で、前記第3のエントリに含まれる前記緊急サービス電話番号値に前記電話をかけるように構成され、
前記要求されたサービスタイプ情報が、前記第1のエントリのうちの前記少なくとも1つに含まれる前記緊急サービスタイプ値に対応する、
請求項10に記載の装置。
【請求項１４】
緊急サービス情報のプロビジョニングのための装置であって、
モバイルデバイスによって、緊急サービス情報マッピングテーブルを受信するための手段であって、前記緊急サービス情報マッピングテーブルが、複数のエントリを含み、前記複数のエントリのうちの各エントリが、モバイル国コード値と、緊急サービス電話番号値と、緊急サービスタイプ値とを含む、手段と、
ホームモバイル国コード値が現在のモバイル国コード値とは異なるとき、前記モバイルデバイスによって、前記モバイルデバイスのユーザからの入力に応答して、前記緊急サービス情報マッピングテーブルから情報を取り出すための手段と
を備える装置。
【請求項１５】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項14に記載の装置。
【請求項１６】
前記モバイルデバイスによって、通信ネットワークから前記現在のモバイル国コード値を受信するための手段であって、前記現在のモバイル国コード値が、前記モバイルデバイスが現在位置している地理的エリアに対応する、手段と、
前記モバイルデバイスによって、前記モバイルデバイスの前記ユーザによって入力された電話番号を受信するための手段と、
前記現在のモバイル国コード値が前記モバイルデバイス上に記憶された前記ホームモバイル国コード値とは異なると判断するための手段と、
前記モバイルデバイスによって、前記複数のエントリのうちの1つまたは複数の第1のエントリについて前記緊急サービス情報マッピングテーブルを検索するための手段であって、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、手段と
をさらに備える、請求項14に記載の装置。
【請求項１７】
前記第1のエントリのうちの少なくとも1つに含まれる前記緊急サービス電話番号値が前記ユーザによって入力された前記電話番号であると判断するための手段と、
前記モバイルデバイスによって、前記複数のエントリのうちの1つまたは複数の第2のエントリについて前記緊急サービス情報マッピングテーブルを検索するための手段であって、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、手段と
をさらに備える、請求項16に記載の装置。
【請求項１８】
前記モバイルデバイスによって、前記1つまたは複数の第2のエントリから第3のエントリを選択するための手段と、
前記モバイルデバイスによって、前記第3のエントリに含まれる前記緊急サービス電話番号値に電話をかけるための手段と
をさらに備える、請求項17に記載の装置。
【請求項１９】
前記モバイルデバイスによって、前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択するための手段
をさらに備える、請求項18に記載の装置。
【請求項２０】
前記1つまたは複数の第2のエントリのいずれも前記第1のエントリのうちの前記少なくとも1つに含まれる前記緊急サービスタイプ値と同じである緊急サービスタイプ値を含まないと判断するための手段
をさらに備え、
前記モバイルデバイスが、汎用サービスタイプ値である緊急サービスタイプ値を含む前記第3のエントリを選択することを含む方法で、前記1つまたは複数の第2のエントリから前記第3のエントリを選択するように構成される、
請求項18に記載の装置。
【請求項２１】
要求されたサービスタイプ情報を前記第3のエントリに含まれる前記緊急サービス電話番号値への電話のための呼セットアップ情報において提供することを含む方法で、前記第3のエントリに含まれる前記緊急サービス電話番号値に前記電話をかけるための手段
をさらに備え、
前記要求されたサービスタイプ情報が、前記第1のエントリのうちの前記少なくとも1つに含まれる前記緊急サービスタイプ値に対応する、
請求項20に記載の装置。
【請求項２２】
緊急サービス情報のプロビジョニングのための装置であって、
メモリと、
前記メモリに結合され、
モバイルデバイスによって、緊急サービス情報マッピングテーブルを受信することであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、受信することと、
ホームモバイル国コード値が現在のモバイル国コード値とは異なるとき、前記モバイルデバイスによって、前記モバイルデバイスのユーザからの入力に応答して、前記緊急サービス情報マッピングテーブルから情報を取り出すことと
を行うように構成された少なくとも1つのプロセッサと
を備える装置。
【請求項２３】
前記緊急サービス情報マッピングテーブルが、前記複数のエントリのうちの第1のエントリと、前記複数のエントリのうちの第2のエントリとを含み、
前記複数のエントリのうちの前記第1のエントリが、前記モバイルデバイスの前記ユーザによって入力された電話番号に対応し、前記第1のエントリが、モバイル国コード値と、前記ユーザによって入力された前記電話番号である緊急サービス電話番号値と、緊急サービスタイプ値とを含み、
前記複数のエントリのうちの前記第2のエントリが、かけられるべき電話番号に対応し、前記第2のエントリが、モバイル国コード値と、前記かけられるべき電話番号である緊急サービス電話番号値と、緊急サービスタイプ値とを含む、
請求項22に記載の装置。
【請求項２４】
前記少なくとも1つのプロセッサが、
前記モバイルデバイスによって、通信ネットワークから前記現在のモバイル国コード値を受信することであって、前記現在のモバイル国コード値が、前記モバイルデバイスが現在位置している地理的エリアに対応する、受信することと、
前記モバイルデバイスによって、前記モバイルデバイスの前記ユーザによって入力された電話番号を受信することと、
前記現在のモバイル国コード値が前記モバイルデバイス上に記憶された前記ホームモバイル国コード値とは異なると判断することと、
前記モバイルデバイスによって、前記複数のエントリのうちの1つまたは複数の第1のエントリについて前記緊急サービス情報マッピングテーブルを検索することであって、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、検索することと
を行うようにさらに構成される、請求項22に記載の装置。
【請求項２５】
前記少なくとも1つのプロセッサが、
前記第1のエントリのうちの少なくとも1つに含まれる前記緊急サービス電話番号値が前記ユーザによって入力された前記電話番号であると判断することと、
前記モバイルデバイスによって、前記複数のエントリのうちの1つまたは複数の第2のエントリについて前記緊急サービス情報マッピングテーブルを検索することであって、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、検索することと
を行うようにさらに構成される、請求項24に記載の装置。
【請求項２６】
前記少なくとも1つのプロセッサが、
前記モバイルデバイスによって、前記1つまたは複数の第2のエントリから第3のエントリを選択し、
前記モバイルデバイスによって、前記第3のエントリに含まれる前記緊急サービス電話番号値に電話をかける
ようにさらに構成される、請求項25に記載の装置。
【請求項２７】
前記少なくとも1つのプロセッサが、
前記モバイルデバイスによって、前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択する
ようにさらに構成される、請求項26に記載の装置。
【請求項２８】
前記少なくとも1つのプロセッサが、
前記1つまたは複数の第2のエントリのいずれも前記第1のエントリのうちの前記少なくとも1つに含まれる前記緊急サービスタイプ値と同じである緊急サービスタイプ値を含まないと判断する
ようにさらに構成され、
前記モバイルデバイスが、汎用サービスタイプ値である緊急サービスタイプ値を含む前記第3のエントリを選択することを含む方法で、前記1つまたは複数の第2のエントリから前記第3のエントリを選択するように構成される、
請求項26に記載の装置。
【請求項２９】
前記少なくとも1つのプロセッサが、
要求されたサービスタイプ情報を前記第3のエントリに含まれる前記緊急サービス電話番号値への電話のための呼セットアップ情報において提供することを含む方法で、前記第3のエントリに含まれる前記緊急サービス電話番号値に前記電話をかける
ようにさらに構成され、
前記要求されたサービスタイプ情報が、前記第1のエントリのうちの前記少なくとも1つに含まれる前記緊急サービスタイプ値に対応する、
請求項28に記載の装置。
【請求項３０】
緊急サービス情報のプロビジョニングのためのコンピュータ実行可能コードを記憶するコンピュータ可読媒体であって、
モバイルデバイスによって、緊急サービス情報マッピングテーブルを受信することであって、前記緊急サービス情報マッピングテーブルが、複数のエントリを含み、前記複数のエントリのうちの各エントリが、モバイル国コード値と、緊急サービス電話番号値と、緊急サービスタイプ値とを含む、受信することと、
ホームモバイル国コード値が現在のモバイル国コード値とは異なるとき、前記モバイルデバイスによって、前記モバイルデバイスのユーザからの入力に応答して、前記緊急サービス情報マッピングテーブルから情報を取り出すことと
を行うためのコードを含むコンピュータ可読媒体。
【請求項３１】
通信ネットワークから前記現在のモバイル国コード値を受信することであって、前記現在のモバイル国コード値が、前記モバイルデバイスが現在位置している地理的エリアに対応する、受信することと、
前記モバイルデバイスの前記ユーザによって入力された電話番号を受信することと、
前記現在のモバイル国コード値が前記モバイルデバイス上に記憶された前記ホームモバイル国コード値とは異なると判断することと、
前記複数のエントリのうちの1つまたは複数の第1のエントリについて前記緊急サービス情報マッピングテーブルを検索することであって、前記1つまたは複数の第1のエントリの各々が、モバイル国コード値と、緊急サービス電話番号値と、緊急サービスタイプ値とを含み、前記第1のエントリの各々に含まれる前記モバイル国コード値が、前記ホームモバイル国コード値と同じである、検索することと
を行うためのコードをさらに含む、請求項30に記載のコンピュータ可読媒体。
【請求項３２】
前記第1のエントリのうちの少なくとも1つに含まれる前記緊急サービス電話番号値が前記ユーザによって入力された前記電話番号であると判断することと、
前記複数のエントリのうちの1つまたは複数の第2のエントリについて前記緊急サービス情報マッピングテーブルを検索することであって、前記1つまたは複数の第2のエントリの各々が、モバイル国コード値と、緊急サービス電話番号値と、緊急サービスタイプ値とを含み、前記第2のエントリの各々に含まれる前記モバイル国コード値が、前記現在のモバイル国コード値と同じである、検索することと
を行うためのコードをさらに含む、請求項31に記載のコンピュータ可読媒体。
【請求項３３】
前記1つまたは複数の第2のエントリから第3のエントリを選択し、
前記第3のエントリに含まれる前記緊急サービス電話番号値に電話をかける
ためのコードをさらに含む、請求項32に記載のコンピュータ可読媒体。
【請求項３４】
前記第1のエントリのうちの前記少なくとも1つに含まれる前記緊急サービスタイプ値と同じである緊急サービスタイプ値を含む前記第3のエントリを選択することを含む方法で、前記1つまたは複数の第2のエントリから前記第3のエントリを選択する
ためのコードをさらに含む、請求項33に記載のコンピュータ可読媒体。
【国際調査報告】
2018500783.tif 000013
2018500783.tif 000014